(57)【要約】      （修正有）【課題】開き率向上と、開けたものを手元に置かせるような機能をもつ郵便物や配送物を提供する。【解決手段】透明基材１の一方の面に、ホログラム形成層２及び接着剤層３がこの順序で設けられ、透明基材の他方の面に擬似接着層４が設けられた擬似接着シートであって、接着剤層及び擬似接着層が透明微粒子５，６を含むことを特徴とする。またホログラム形成層２が、ホログラム形成層と接着剤層との界面にホログラムレリーフを有するレリーフホログラムであって、ホログラム形成層の屈折率と前記接着剤層の屈折率との差が、０．１〜０．３である。【選択図】図２
2012203159.tif 000002
【特許請求の範囲】
【請求項１】
透明基材の一方の面に、ホログラム形成層及び接着剤層がこの順序で設けられ、前記透明基材の他方の面に擬似接着層が設けられた擬似接着シートであって、
前記接着剤層及び擬似接着層が透明微粒子を含むことを特徴とする擬似接着シート。
【請求項２】
前記ホログラム形成層が、前記ホログラム形成層と前記接着剤層との界面にホログラムレリーフを有するレリーフホログラムであって、前記ホログラム形成層の屈折率と前記接着剤層の屈折率との差が、０．１〜０．３であることを特徴とする請求項１記載の擬似接着シート。
【請求項３】
前記ホログラム形成層が、前記ホログラム形成層と前記接着剤層との界面にホログラムレリーフを有するレリーフホログラムで構成され、且つ、前記レリーフホログラムの前記ホログラムレリーフに追従するように透明反射性薄膜層が設けられていることを特徴とする請求項１記載の擬似接着シート。
【請求項４】
請求項１〜３のいずれかに記載の擬似接着シートを挟み込むように折り曲げた情報記録体の、その折り目によって分けられた２つの面のうち、一方の面と前記擬似接着シートの前記接着剤層とが接着し、且つ、他方の面と前記擬似接着シートの前記擬似接着層とが接着した情報記録積層体であって、
前記擬似接着層と、前記透明基材との界面が剥離可能であることを特徴とする情報記録積層体。
【発明の詳細な説明】
【技術分野】
【０００１】
本発明は、情報記録体に接着可能であって、その情報記録体上の情報記録面同士を、加熱・加圧手段を用いて、剥離可能に貼着、すなわち、容易に剥離可能ではあるが自然剥離しないように貼着することのできる擬似接着シート及び、その擬似接着シートを情報記録体に積層した積層体である、情報記録積層体に関するものである。
特に、擬似接着シートがホログラムを有して、その情報記録積層体の貼着された擬似接着面を剥離して、初めて、ホログラムが観察可能となる情報記録積層体に関するものである。
なお、「挟み込むように折り曲げる」とは、「シート状のもの（情報記録体）」を例えば二つ折りし（シートの中央が「折り目」となる。）、この二つ折りにより生じた空間（内側の空間）に、「別のシート（擬似接着シート）」を差し込んで、その「別のシート」の全体が丁度その内側の空間に入り込むことを意味する。
この「シート状のもの」を二つ折りした際の、その「内側となる面」において、その二つ折りの「折り目」を境界として例えば「左側の面」を「一方の面」とし、「右側の面」を「他方の面」として、この内側の空間に差し込まれた（挟み込まれた）「別のシートの例えば表面」と、その「一方の面」とを接着させると同時に、「別のシートの裏面」と、その「他方の面」とを接着させて、「別のシート」が「シート状のもの」に挟まれた状態で「一体物（情報記録積層体）」となっていることを意味する。
この「折り曲げ」には、三つ折り、その他のより複雑な折り方も含まれるが、いずれも、貼り合わせる際には、折られた多数の面の中の一つの面と、もう一つの面を貼り合わせることとなる。
また、「透明微粒子」とは、金属酸化物、金属窒化物または金属炭化物等の金属化合物であって高い透明性を有し、その質量平均粒子径が５μｍ以下のもの、または、透明な樹脂の粉体であって、質量平均粒径が１０μｍ以下で且つ粉体を分散保持する樹脂との屈折率が異なるもの、さらには、金属粒子であって、その質量平均粒子径が１μｍ以下であることで樹脂に分散した際に高い透明性を有するものを意味する。
本明細書において、配合を示す「％」や「部」は特に断わらない限り質量基準である。また、「ホログラム」は、ホログラムと、回折格子などの光回折性機能を有するものも含む。
【背景技術】
【０００２】
（主なる用途）本発明の擬似接着シート及び情報記録積層体の主なる用途としては、
個人のプライバシーに係わる情報や、広く第三者には開示すべきでない情報、受取った人が外観を一瞥するだけでは記載内容を把握できず、折り曲げて貼着したシートを開いて初めて内容を確認できるという、意外性（受取人に予想を超えた印象を与え、高い関心を持たせる性質という意味。）を付与したい情報、さらには、受取人に対するポイントサービスや割引券付与等の特典情報を記載しているため、郵送途中や、配送途中ではその存在を知られたくない情報等、を記載した書類等に用いられ、それらの書類等に擬似接着シートを貼着し、擬似接着シートを内側に折り曲げて、擬似接着することにより、その書類等の上記情報を第三者から秘匿し、正規の受取人のみに、その情報を伝達する用途が挙げられる。
もちろん、それ以外にも、情報を記載した書類等を、一旦、二つ折り、三つ折り、もしくは、それ以上の回数折り、その書類のサイズを小さくして、搬送し、後に、擬似接着部分を開けて元のサイズとして使用する用途に用いることができる。
これらの「情報を記載した書類」を、以下、「情報記録体」とも称するが、この「情報記録体」に擬似接着シートを貼着した「積層体」、さらには、この「積層体」を二つ折り以上の回数折り曲げ、その擬似接着面同士を加熱、加圧等して熱圧着したものを、「情報記録積層体」と称する。
情報記録体を、三つ折り以上の回数折り曲げる場合には、複数の貼着面が生じるため、個々の貼着面に、異なる擬似接着シートを適用する場合もある。
【０００３】
その情報記録体としては、近年増加している、携帯電話、クレジット、税金、年金、証券、預貯金、ガス・水道・電気等の各種請求書、支払い通知書、受領書及び満期通知書等のような個人のプライバシーに係わる情報（個人情報を含む）等を記載した書類等や、
主に過去に利用したことのある小売店や、入会しているクレジットカード会社などの顧客情報のデータベースから購入頻度などの属性で抽出され、「郵便」や、以下に説明する「メール便」を利用して届けられるダイレクトメールとして、銀行、証券会社、クレジットカード会社、百貨店、量販店などが、大量に顧客に送付しているものであって、その内容を可能な限り第三者には開示すべきでない書類等が挙げられる。
従来、このような個人情報や第三者に開示すべきでない情報に係わる書類等の郵送や配送には、プライバシー保護や、秘匿性確保等の観点から「封書」が使用されてきた。
しかし、「封書」は、「はがき」に比べ郵送料が高いことからコスト高になるという欠点がある。
また、宛先人毎に通知内容が異なる場合に、本人でない第三者に誤って配送しその情報が漏洩してしまうことを防ぐために、宛先人毎のデータをコンピューター制御によって管理し、宛先人名と通知内容の一致性を確保して、発送作業の正確性確保と省力化を図る手法を用いることが主流となっており、この作業において、コンピューターに入力されたデータを、宛先人毎に連続してプリントアウトし、且つ、プリントアウトしたものを、最終発送直前に、再度、その順序やプリント内容を自動照合する際には、「封書」に替えて、「はがき」そのもの、もしくは、「はがき」状の「シート」（これら「はがき」と「シート」を総称して、「情報記録体」と称することもある。）を用いることが必要となる。
【０００４】
これらの「はがき」もしくは、「シート」として（すなわち、「情報記録体」として）、内国通常郵便物である、第二種郵便物（通常はがき：最大サイズ１０．７×１５．４ｃｍ、最小サイズ９×１４ｃｍ、重さ２〜６ｇ、もしくは、往復はがき：最大サイズ２１．４ｃｍ（二つ折）×１５．４ｃｍ、最小サイズ１８ｃｍ（二つ折）×１５．４ｃｍ、重さ４〜１２ｇ）、国際通常郵便物である船便（平面路便ともいう。）としての、書状、はがき、印刷物（グリーティングカード等含む。）、航空便としての書状、はがき、印刷物・点字（グリーティングカード、Ｄメール、Ｐメール等含む。）、エコーはがき、ｅ−センスカード等、
もしくは、郵便事業株式会社内国郵便約款第２２条に定める「私製葉書」（郵便事業株式会社以外の者が作成する通常葉書及び往復葉書。）であって、
通常葉書は、長辺１４センチメートル以上１５．４センチメートル以下、短辺９センチメートル以上１０．７センチメートル以下の長方形の紙とし、往復葉書は、長辺１８センチメートル以上２１．４センチメートル以下、短辺１４センチメートル以上１５．４センチメートル以下の長方形の紙を短辺の部分をそろえて折り目が右側（横に長く使用するものにあっては、下側）になるように折り合わせ、その上片を往信部に、その下片を返信部とし、往信部の裏面と返信部の表面とがそれぞれ内側になるようにしたもの、
紙質及び厚さは、郵便事業株式会社の発行するものと同等以上であるもの、
重量は、通常葉書にあっては２グラム以上６グラム以下、往復葉書にあっては４グラム以上１２グラム以下（往信部及び返信部のそれぞれが２グラム以上６グラム以下）のもの、
表面の色彩は、白色または淡色であるもの、
往復葉書の返信部の表面の左上部（横に長く使用するものにあっては、右上部）には、その返信部の料金支払に充てるため、往復葉書の料金の半額相当額の郵便切手をはり付け、または、料金受取人払の表示をしたもの、
表面の上部または左側部（横に長く使用するものにあっては、右側部）の中央に、通常葉書にあっては「郵便はがき」またはこれに相当する文字を、往復葉書の往信部及び返信部にあっては「郵便往復はがき」またはこれに相当する文字を明瞭に表示したもの、等が挙げられる。
【０００５】
その他、選挙公示後に出される候補者のＰＲ用ダイレクトメールである選挙郵便、小選挙区選出の衆議院議員の選挙で、政党が私製するものや公示前に出される選挙事務所開き案内、選挙管理委員会が出す投票所入場券等、
宛名記載をせず指定した区域のみを配達するもので、各種宣伝用に使われることが多くポスティングに近い、配達地域指定郵便物（タウンメール）等、
そして、下端にくじが印刷されており、抽選で賞品があたる「くじ付き郵便はがき」でもある、お年玉付き郵便はがき（年賀はがき）や、夏のおたより郵便はがき（かもめ〜る、暑中見舞用郵便はがき）など、日本の風習に沿った用途のはがき等、さらには、各種のおまけ、割引券、サービス券等を、その一部に切り離し可能に設けたもの、もしくは、アドレスにアクセスしたり、ダイヤル番号に電話することにより、各種イベント案内や、何らかの特典情報、ポイントサービス等を得ることができる情報、すなわち、インターネットＷＥＢアドレスや、フリーダイヤル番号等が印字されたもの等の、受取人に対して各種のサービスを提供する目的で利用されるもの、
もしくは、運送会社による配送物の中から、「紛失時の損害額の減額」，「小サイズに限定」，「ポストインで判取り不要」を条件に、配送伝票のコストダウンを図り、バーコード追跡システムを維持しつつ配送費用のコストダウンを実現した「メール便」と呼ばれる配送サービスにおいて、各種の通知や案内状または請求書などの書面を送付する手段として、さらには、親展書類等を送付する手段として郵便規則等の制限なく配送されるものなどが挙げられる。
【０００６】
さらには、飲食店、通信販売、貸金業、不動産会社などにおいて、広告・宣伝を目的に、ビラやチラシを、各個人宅へ配送する行為（ポスティング）に用いられるものや、商業目的ではなく、公共性を有するものを郵便受けへ直接投入する例として、地方自治体（地域限定の行事案内や、お知らせ）や水道局（主に工事による断水やにごり水、交通規制のお知らせ）によって行われる場合に用いられるもののごとく、秘匿性がそれ程求められていない郵便物や、配達物であっても、受取人が受け取った時に、その外観を一瞥するのみでは伝達情報（何が書かれているのか）を把握できないように情報を配置し、擬似接着部分を開けて、初めて目的たる伝達情報を確認できるように構成して、受取人の関心を引く等の目的に用いられるものなど、市場において流通する全ての情報伝達物が挙げられる。
もちろん、個人が、擬似接着シートを用いて、上記のような情報記録体を作成し、郵送、配送したり、プレゼントとして贈呈したりするための、「はがき等作成用キット」として、販売する等の用途にも用いることができる。
本発明の擬似接着シート、及び、情報記録積層体は、以上の情報記録体、もしくは、情報伝達物の中でも、特に、意匠性に優れることが求められ、且つ、その「開き率」（擬似接着された「はがき」等を開く率という意味。）を高める必要のある分野に好適に用いられる。
【０００７】
（先行技術）
近年、「封書」に替えて、個人のプライバシーに係わる記録内容を隠蔽することのできる様々な「はがき」が提案されている。
これらの提案の一つとして、通常のはがきの表面に記載された文字や数字の上に、剥離可能に貼着することにより記録内容を隠蔽することのできる「シール紙」があるが、この「シール紙」は、接着面に弱粘着剤を使用しているため、弱粘着剤層を保護するための剥離紙を設けなければならず、コスト高になる上、その剥離紙の処分も煩雑になるという欠点があった。
また、「シール紙」を剥がす際に、「はがき」に記載された文字部分が剥がれて弱粘着層面に転移し、しばしば、文字が読めなくなるという欠点があった。
更に、この「シール紙」は、開封した痕跡が残らないように脱着することも可能であるので、プライバシー侵害防止効果に劣るという欠点があった。
また、他の材料として、「はがき」の表面に記載された文字を外部から見ることができないようにアルミニウム箔を積層したシートを、「はがき」の文字部分に貼着し、「はがき」の縁に沿って設けられたミシン目を切り離すことによって初めて開封することができるようした「ラベル」がある。しかしながら、この「ラベル」は複数構成から成る積層物であるためコスト高になる上、剥がした「ラベル」が破き難いのみならず不燃物でもあるので廃棄処理も煩雑となるという欠点があった。
その上、上記の「シール紙」や「ラベル」は、記載された情報の一部を隠蔽するためにしか使用できず、多くの情報を郵送する必要がある場合には、コスト高となっても封書を使用せざるを得なかった。
【０００８】
そこで、情報量を確保するため、「内部」に情報を隠蔽することのできる、様々な「はがき」も提案され、実用化されている。
その提案例としては、例えば、表面に情報を記録することのできる感熱接着剤層を紙製支持体の片面に形成せしめた「封緘はがき」がある（特許文献１：実開平１−１４８３７１号公報参照。）。
この「封緘はがき」は、２つ折りにして「はがきサイズ」となるもので、感熱接着剤の表面に情報を記録した後、これを２つ折にして感熱接着剤同士を剥離可能な接着強度で熱圧着するものである。
しかしながら、この「封緘はがき」は、感熱接着剤層の表面、すなわち、剥離面に情報を記録するため、他面に記録内容が転写されるという欠点があるのみならず、感熱接着剤層の接着強度の調整が難しいために、「剥がしカール」（接着面を界面として基材を剥がした際、その基材が大きくカールしてしまう現象。極端な場合には、基材が円筒状にまるまってしまう。）が発生して情報の判読が困難となるなどの欠点がある。
【０００９】
そこで、感熱接着剤層同士の剥離を適度なものとするために、熱圧着の温度と圧力を調整する方法が考えられるが、この方法による剥離性の調整は極めて難しく、接着不良により自然剥離を起こす欠点があること（記録情報の中に秘匿すべき個人情報が含まれている場合には、個人情報の不要な開示と見做される。）、及び、ダイレクトメール等の、情報記録面の全面がインクで覆われる情報記録体では、感熱接着そのものができず、一体化物を得ることができないという欠点がある。
また、２枚のはがきサイズの情報記録体に情報記録した後、各記録体の情報記録面同士を再剥離可能に感熱接着することのできる、両面接着性を有する感熱接着シート、及び、それを用いた情報記録体も提案されている（特許文献２：特開平４−１２６２９８号公報参照。）。
しかし、この感熱接着シートを用いた情報記録体の場合には、支持体の両面に形成した合成樹脂塗工層からなる感熱接着シートを、情報記録した２枚のはがきサイズの記録体の情報記録面間に挟んで感熱接着させる時、情報記録面と合成樹脂塗工層とが、直接、接し、熱溶融した合成樹脂塗工層が情報記録体の切り口部からはみ出し、支持体と合成樹脂塗工層間の剥離界面を樹脂で覆うため開封不良となり易いこと、及び、高濃度のインクで覆われた記録体材表面と合成樹脂塗工層との接着性が劣るという点で満足できるものではなかった。
【００１０】
これらの欠点を克服するものとして、支持体の一方の面に、自然剥離することなく、且つ、容易に剥離可能な、そして、１００℃以下の熱では溶融はみ出しを起こすことのない熱可塑性樹脂層（擬似接着層となる。）を設けてなる形成物の両面に、接着性が優れ、且つ、１００℃以下の熱で情報記録体と感熱接着可能な感熱接着剤層を形成させた感熱積層シートを使用することにより、情報記録体への感熱接着性に優れると共に、記録情報を他面へ転写させることがなく、情報を記録した情報記録体の記録面同士を剥離可能に接着させるのに好適であり、また、特にその大きさを「はがきサイズ」とすることにより、「はがき」の郵送料金で従来の２倍以上の量の情報を送ることができる上、プライバシー保護に優れた情報伝達手段として有用である感熱積層シート（特許文献３：特開平７−１７１６６号公報、もしくは、特許第２６４５５３５号公報参照。）が提案されている。
しかし、この感熱積層シートを用いても、その受取人が、その差出人を確認するだけで、すなわち、外観を一瞥するだけで、擬似接着部分を開けることなく、そのまま廃棄する場合も多く、もしくは、一旦、開けて、その内側に記載された情報を確認したとしても、その情報の必要部分のみをメモして、開封した情報記録（積層）体を廃棄するか、情報そのものが一読すれば十分であって、保管する必要のない情報であると判断して、速やかに、開封した情報記録（積層）体を廃棄してしまうという課題を有するものであった。
すなわち、その「開き率」の向上や、開いた情報記録（積層）体を受取人の手元に置かせることによる、差出人発信情報の継続的提供性の確保という面では、何らの機能を有しないものであった。
【先行技術文献】
【特許文献】
【００１１】
【特許文献１】実開平１−１４８３７１号公報
【特許文献２】特開平４−１２６２９８号公報
【特許文献３】特開平７−１７１６６号公報
【発明の概要】
【発明が解決しようとする課題】
【００１２】
本発明は、上記した問題を解決すべく、
擬似接着シートであって、その擬似接着シートにホログラムを設け、その擬似接着シートを介して、少なくとも二つ折りした情報記録体を熱圧着により貼着し情報記録積層体として、情報記録体上に記録した情報と、そのホログラムとを内側に秘匿することにより、その情報記録積層体の擬似接着面を剥離、すなわち、その二つ折りを開いて初めてそのホログラムを観察でき、且つ、その情報を確認可能となる、情報記録積層体を提供可能な擬似接着シートに関するものである。
そして、その情報記録積層体を受け取った受取人の注意を十分喚起して、関心を高め、その「開き率」を向上し、しかも、開いた情報記録積層体の片方の広い面積に渡ってホログラムを鑑賞できるものとし、さらには、開いた情報記録積層体を速やかに廃棄しようとする受取人に対して、その情報記録積層体を手元に保持させ得る機能を有する、擬似接着シート、及び、その擬似接着シートを用いた情報記録積層体を提供する。
【課題を解決するための手段】
【００１３】
上記の課題を解決するために、
本発明の擬似接着シートの第１の態様は、
透明基材の一方の面に、ホログラム形成層及び接着剤層がこの順序で設けられ、前記透明基材の他方の面に擬似接着層が設けられた擬似接着シートであって、前記接着剤層及び擬似接着層が透明微粒子を含むことを特徴とするものである。
上記第１の態様の擬似接着シートによれば、
透明基材の一方の面に、ホログラム形成層及び接着剤層がこの順序で設けられ、前記透明基材の他方の面に擬似接着層が設けられた擬似接着シートであって、前記接着剤層及び擬似接着層が透明微粒子を含むことを特徴とする擬似接着シートを提供することができ、この擬似接着シートを用いた情報記録積層体の「開き率」を向上可能な、擬似接着シートを提供することができる。
本発明の擬似接着シートの第２の態様は、
前記ホログラム形成層が、前記ホログラム形成層と前記接着剤層との界面にホログラムレリーフを有するレリーフホログラムであって、前記ホログラム形成層の屈折率と前記接着剤層の屈折率との差が、０．１〜０．３であることを特徴とするものである。
上記第２の態様の擬似接着シートによれば、
前記ホログラム形成層が、前記ホログラム形成層と前記接着剤層との界面にホログラムレリーフを有するレリーフホログラムであって、前記ホログラム形成層の屈折率と前記接着剤層の屈折率との差が、０．１〜０．３であることを特徴とする第１の態様に記載の擬似接着シートを提供することができ、第１の態様の特徴に加えて、大量生産が容易、且つ、ホログラム形成層を薄層化可能な、擬似接着シートを提供することができる。
本発明の擬似接着シートの第３の態様は、
前記ホログラム形成層が、前記ホログラム形成層と前記接着剤層との界面にホログラムレリーフを有するレリーフホログラムで構成され、且つ、前記レリーフホログラムの前記ホログラムレリーフに追従するように透明反射性薄膜層が設けられていることを特徴とするものである。
【００１４】
上記第３の態様の擬似接着シートによれば、
前記ホログラム形成層が、前記ホログラム形成層と前記接着剤層との界面にホログラムレリーフを有するレリーフホログラムで構成され、且つ、前記レリーフホログラムの前記ホログラムレリーフに追従するように透明反射性薄膜層が設けられていることを特徴とする第１の態様に記載の擬似接着シートを提供することができ、第１の態様の特徴に加えて、大量生産が容易で、ホログラム形成層を薄層化可能であり、且つ、ホログラム再生像をより鮮明とすることが可能な、擬似接着シートを提供することができる。
本発明の第４の態様は、
請求項１〜３のいずれかに記載の擬似接着シートを挟み込むように折り曲げた情報記録体の、その折り目によって分けられた２つの面のうち、一方の面と前記擬似接着シートの前記接着剤層とが接着し、且つ、他方の面と前記擬似接着シートの前記擬似接着層とが接着した情報記録積層体であって、前記擬似接着層と、前記透明基材との界面が剥離可能であることを特徴とするものである。
上記第４の態様によれば、
第１〜３の態様のいずれかに記載の擬似接着シートを挟み込むように折り曲げた情報記録体の、その折り目によって分けられた２つの面のうち、一方の面と前記擬似接着シートの前記接着剤層とが接着し、且つ、他方の面と前記擬似接着シートの前記擬似接着層とが接着した情報記録積層体であって、前記擬似接着層と、前記透明基材との界面が剥離可能であることを特徴とする情報記録積層体を提供することができ、その「開き率」を直接、向上可能な、情報記録積層体を提供することができる。
【００１５】
本発明の擬似接着シートは、透明基材の一方の面に、ホログラム形成層及び透明微粒子を含む接着剤層がこの順序で設けられ、その透明基材の他方の面に、透明微粒子を含む擬似接着層が設けられている。
前記接着剤層及び擬似接着層に含まれる透明微粒子は、同一の透明微粒子でもよいが、異なる透明微粒子としてもよい。
この透明微粒子は、ホログラム形成層の上側の層（擬似接着層）と下側の層（接着剤層）に含められていることから、ホログラム形成層を照明する「照明光」を散乱させる効果を有し、擬似接着シートをどちらの面から観察しても、ホログラム形成層を鮮明には見ることができず、また、擬似接着シートから不正にホログラムを複製することを防止する。（リップマンホログラム等は、ホログラム形成層上に複製用感光材料を配置してレーザー照射することで複製をすることができるが、ホログラム形成層と複製用感光材料との間に光散乱層があると、このような複製を防止することが可能となることを意味する。）
そして、この擬似接着シートを情報記録体に挟み込み、情報記録積層体とした後、その情報記録積層体を開いてその内側にある情報（情報記録体上の情報）を読み取る際には、ホログラム形成層の上側にあった透明微粒子を含む擬似接着層が剥離されているため、内側にある情報（情報記録体上の情報）の上に、鮮明なホログラムを観察することができる。
その上、ホログラム形成層のホログラムを観察する際に、阻害要因となる情報記録体表面の反射光（照り返し）を和らげる効果を有する。
上記の透明基材としては、厚みを薄くすることが可能であって、機械的強度や、その一方の面にホログラム形成層や接着剤層、そして、その他方の面に擬似接着層を設ける際の処理や加工、さらには、情報記録体への接着処理及び、その折り加工において、各種加工機の搬送用ガイドロールとの接触に対する耐磨耗性が高く、それらの処理や、加工に適した耐溶剤性、耐熱性及び耐摩耗性を有するものであって、擬似接着層との適度な接着性および再剥離性を有する、透明基材を用いることが好ましい。
【００１６】
その加工方法にもよるので、限定されるものではないが、フィルム状もしくはシート状のプラスチックが好ましい。
例えば、ポリエチレンテレフタレート（ＰＥＴ）、ポリプロピレン、トリアセチルセルロース（ＴＡＣ）等の各種のプラスチックフィルムを例示することができる。
透明基材の厚さは、通常５〜１００μｍであるが、その取り扱い適性、特に、情報記録積層体としたときの、全体厚さを適宜なものとするとともに、情報記録積層体を開いたときの左右の面の厚さの差（段差）を小さくするためには、５〜２５μｍとすることが望ましい。
擬似接着シートは、折り曲げた情報記録体に挿入され、熱圧着されて情報記録積層体を構成することになるが、情報記録体の「剛度」が大きすぎる、もしくは、「剛性」が強すぎると、折られた情報記録体が元に戻ろうとする「力」が強く働き、擬似接着していた情報記録積層体が、自然剥離してしまうことになる。従って、透明基材と擬似接着層との間の（再剥離可能な）接着強度は、この「力」より大きくする。このことから、情報記録体の「剛度」は、小さい方が好ましい。
このように、一旦、「折り曲げたもの」の元に戻ろうとする「力」が比較的小さいことを指して、「折り適性が良好」という。
例えば、ＪＡＰＡＮ ＴＡＰＰＩ ＮＯ４０：２０００に準じて測定されるガーレー剛度（試験片に一定の力を加えたときに曲がる角度を測定 「ガーレー法：ガーレーこわさ試験器で紙を押し曲げるときのたわみを測定するもの。この方法に準じて情報記録体も評価する。）で、０．０５ｍＮ〜５０ｍＮであることが好ましい。ガーレー剛度は、小さければ小さい程、折り適性に優れるが、が０．０５ｍＮ未満であると、加工工程におけるハンドリング適正に欠ける。また、ガーレー剛度が、５０ｍＮを超えると上記した折り適性に劣ることとなる。
そして、透明基材の一方の面に形成するホログラム形成層としては、リップマンホログラム等の「反射型の体積ホログラム」、または、ホログラム形成層の表面にホログラムレリーフを形成してある「レリーフホログラム」を用いることができるが、いずれも、情報記録体に適用した際に、その情報記録体上の記録情報を、透明基材、ホログラム形成層、及び接着剤層を通して視認できるように、「十分な透明性」を有するものとすることが必要である。
【００１７】
情報記録体上の記録情報は、オフセット印刷、グラビア印刷やインクジェット印刷等の印刷情報である場合が多く、これらの記録情報は、その照明光が散乱光であっても、問題なく視認することが可能である。
これに対して、ホログラム照明光（参照光ともいう。）に対する「透明性」とは、その照明光をその光の進行方向、強度や位相を「乱すことなく通過させる」という意味を有する。
本発明においては、これらの「透明性」を区別して用いる。
すなわち、記録情報に対する「透明性」とは、「散乱性を含み透明である」ことを意味し、ホログラムを観察する際のホログラム照明光の「透明性」とは、「散乱性を含まず透明である」ことを指す。
そして、情報記録体に用いられる「基材（基紙）」は、印刷用紙や情報用紙等、すなわち、上質紙、中質紙、色上質紙、アート紙、コート紙、マットコート紙、ミラーコート紙、アートポスト、ケント紙、更紙、ノーカーボン紙、模造紙、グラシン紙、再生紙、白板紙、色板紙、加工紙、上級印刷紙、中級印刷紙、下級印刷紙、微塗工紙、軽量コート紙、インクジェット用紙、昇華熱転写用紙等のプリンター用紙、フォーム用紙、ノーカーボン紙、感熱紙、ＯＣＲ用紙、ＯＭＲ用紙、磁気記録紙等（情報用紙）、未晒クラフト紙・半晒クラフト紙、塗工晒クラフト紙、再生可能防湿紙等、他の素材を混ぜ合わせた紙、風合いを出した紙、パール加工紙、ライナー、中芯原紙等、表面に顔料が塗られていないもので、木材原料を化学処理した化学パルプと、木材原料をほぐしただけの機械パルプを混ぜた、非塗工紙、上質紙、中質紙をベースに片面または両面に塗料を塗って、圧力をかけたロールの間を通し光沢を出した、塗工紙等、木材パルプを原料とし、機械により大量生産された洋紙に対して、楮(コウゾ)、三椏(ミツマタ)、雁皮(ガンピ) 、麻、檀（まゆみ）等を原料とした和紙等が用いられることが多い。
【００１８】
もちろん、上記の「紙」以外にも、樹脂含浸紙、ユポなどの合成紙、樹脂フィルム等も用いられる。樹脂フィルムとしては、ポリエチレン（ＰＥ）、ポリプロピレン（ＰＰ）、延伸ポリプロピレン（ＯＰＰ）、ポリスチレン（ＰＳ）、メタクリル樹脂、アクリル樹脂、ＡＢＳ樹脂（ＡＢＳ）、ポリ塩化ビニル等が用いられるが、これらのものを用いる場合には、その表面の印刷適性等を改善するため、表面改質処理を施したり、適宜な樹脂をコーティングしたものを用いることができる。
これらのガーレー剛度や、折り曲げた後の復元力、さらには、擬似接着シートを貼り合わせた情報記録積層体としてのガーレー剛度及びその復元力を考慮して、擬似接着シートの擬似接着する強度を調整する。これらのガーレー剛度は、１０ｍＮ〜２００ｍＮとすることが好適である。
また、グラビア印刷等のフルカラー印刷用には、アート紙、ミラーコート紙や、ユポ等を用いることが多く、また、印刷用紙や情報用紙に種々の印刷を施した後に、その上にさらに、「艶出し」コート等をして、情報記録体表面を「鏡面」とする場合が多く、その情報記録体表面から高い反射光が戻ってくることとなる。
このような「鏡面」の上にホログラム形成層を配置すると、本来の（反射タイプとしての）ホログラム再生に寄与しない０次透過回折光や、±１次透過回折光が、一旦、ホログラム形成層を透過し、この「鏡面」でそれぞれ全反射し、再び、ホログラム形成層を裏から透過して、本来の（反射タイプとしての）ホログラム再生像を不鮮明にする現象を起こしてしまう。
そのため、これらの不要な０次透過回折光や、±１次透過回折光を散乱させて、その進行方向や、位相を乱して、上記したような阻害の発生を抑制するため、ホログラム形成層と情報記録体表面との間に位置する「接着剤層」を「光散乱性を有するもの」とする。
そして、「接着剤層」を、「接着性を維持しつつ、光散乱性を有する層」とするために、接着剤層に用いる接着剤に透明微粒子を含める。
【００１９】
この「透明微粒子」には、
金属酸化物、金属窒化物または金属炭化物等の金属化合物であって高い透明性を有し、その質量平均粒子径が５μｍ以下のもの、特には、質量平均粒子径が１μｍ以下のもの、であって、いずれも、１０ｎｍ以上であるもの、
または、
透明な樹脂の粉体であって、質量平均粒径が１０μｍ以下で且つ粉体を分散保持する樹脂との屈折率が異なるもの、特には、質量平均粒径が３μｍ以下で且つ粉体を分散保持する樹脂との屈折率が異なるもの、であって、いずれも、０．１μｍ以上のもの、
さらには、
金属粒子であって、その質量平均粒子径が１μｍ以下のもの、特には、１００ｎｍ以下のものであって、いずれも、１０ｎｍ以上のものであることで、樹脂に分散した際に、高い透明性と、所定の光散乱性を有するものを使用することができる。
具体的には、金属化合物として、シリカ、アルミナ、酸化亜鉛、フッ化グネシウム等がある。
特に、粒径を１００ｎｍ以下とするには、
気相法として、化学気相析出法：電気炉法、化学炎法、プラズマ法、レーザー法、または、物理気相析出法：ガス中蒸発法、抵抗加熱法、高周波加熱法、プラズマ法により、
液相法として、化学的液相法：共沈法、均一沈殿法、化合物沈殿法、金属アルコキシド法、水熱反応法、逆相ミセル法、超臨界流体法、異相系液反応法、溶媒抽出法、または、物理的液相法：噴霧乾燥法、凍結乾燥法により製造することができる。
【００２０】
また、透明な樹脂の粉体として、ナイロンパウダー、 アクリルパウダー、フェノールパウダー、シリコーンパウダー、ポリエチレンパウダー等を用いることができる。
ここで、これらの透明な樹脂の粉体と、透明な樹脂の粉体を分散させる樹脂（接着剤層または擬似接着層に用いられる樹脂を意味する。）との屈折率差は、０．０１以上あれば、その透明な樹脂の粉体による光散乱性を発現することができるが、０．１以上の屈折率差があれば、その光散乱性を十分確保でき、好適である。
この屈折率差は、大きい方が望ましく、樹脂の屈折率１．４に対して、屈折率１．９のもの（屈折率差０．６）を使用しても、透明微粒子の質量平均粒径が最大でも１０μｍであって、情報記録体上の記録情報の大きさ、例えば、文字情報の画線の幅である数百μｍより、はるかに小さいため、その文字情報を極端に歪めることなく、視認することを可能とする。
但し、この屈折率差０．６を超える材料系（透明な樹脂の粉体と、それを分散させる樹脂の系）を見出すことは物理的に困難である。
そして、金属微粒子としては、Ａｕナノ粒子（４．４ｎｍ）、Ａｇナノ粒子（１１．５ｎｍ）、Ｃｕナノ粒子（１１．４ｎｍ）、タングステン微粒子、ニッケル微粒子等を用いることができる。
この情報記録体に用いられる基材の上に、各種印刷方法や、各種プリンター、その他の情報記録方法を用いて、所望の情報を記録する。
従って、情報記録積層体を開いて、ホログラム（再生像）及び情報記録体上の情報を視認する目的で、その開いた面に照明光あてた際、まず、ホログラム形成層でその光が反射し、（反射型の）ホログラム再生像を結像する光が発生し、そして、残りの光がホログラム形成層を透過して、情報記録体の基材の表面（もしくは、記録の表面）まで到達し、それらの表面で反射して、記録情報を「光の濃淡もしくは色彩」として担持した「散乱光」となって、再び、ホログラム形成層を透過する。
【００２１】
その散乱光は、その進行方向、位相及び強度が非常に乱れた状態となっているため、ホログラム形成層を通過しても、新たなホログラム再生像を結像し難い。また、ここでも反射が生じるが、上記のように「乱れた光」となっているため、反射光の反射強度は小さく（この反射光とは、ホログラム形成層の下方から侵入し、下方へ反射される、ホログラフィックな反射光を意味する。）、十分な透過光（反射も回折もしない光として、ホログラム形成層をそのまま透過する光を意味する。）を確保することができる。
従って、ホログラム形成層に用いる「ホログラム」を「反射型」とすることで、照明光が最初にホログラム形成層で反射した際に生じる、鮮明なホログラムを視認し、ホログラム形成層を透過した光による不要な反射や、不要なホログラム再生像を出現させないようにして、記録情報の判読や、鮮明なホログラム再生像に悪影響を及ぼさないようにすることが可能となる。
照明光を「散乱光」へと変換する機能を意味する「光散乱性」は、「ヘーズ」（ＪＩＳ  Ｋ  ７１３６に準拠。）で表すことができ、接着剤層としての「ヘーズ」は、１０％〜３０％とすることが望ましい。
「ヘーズ」が１０％未満であると、上記した不要な反射や、不要なホログラム再生像が強くなり、鮮明なホログラム再生像に悪影響を及ぼし、「ヘーズ」が３０％を超えると、情報記録体上の記録情報を視認し難くなる。
また、擬似接着層においても、擬似接着シートの状態で、その擬似接着層を通して、その下にあるホログラムを鮮明に観察することを阻止し、且つ、その擬似接着層を通して（光を通過させるという意味。）不正にホログラムを複製することを防止するため、擬似接着層に用いる樹脂材料（透明な樹脂である。）に透明微粒子を含ませる。
この透明微粒子は、接着剤層に含める透明微粒子と同一のものを用いても良いが、擬似接着層と、接着剤層とは、用いる材料が異なり、また、形成する厚さもことなるため、それぞれの樹脂材料や、形成厚さに適合するものを、上記した「接着剤層に用いることができる透明微粒子」から、選択する。
【００２２】
上記の「反射型の体積ホログラム」をホログラム形成層に用いる場合には、各種の透明な材料が用いられる。例えば、銀塩写真乳剤、重クロム酸ゼラチン、フォトレジスト、フォトポリマー材料、無機材料からなるフォトリフラクティブ材料、フォトクロミック材料等及び、それらの材料からなるフィルムが用いられる。
銀塩写真乳剤としては、高感度及び、高解像度が求められる。
フォトレジストには、ポジ型フォトレジストと、ネガ型フォトレジストをいずれも用い得る。
フォトポリマー材料としては、架橋型フォトポリマー、ラジカル重合型フォトポリマー、カチオン重合型フォトポリマー、化学増幅型フォトポリマー、ナノ粒子分散系フォトポリマー等を用いることができ、その取り扱い適性は、特に優れる。
フォトクロミック材料は、光や熱等の特定の環境下において、その色調が変化するため、その意匠性はさらに高いものとなる。
重クロム酸ゼラチンは、その屈折率変調の高さ（すなわち、高い回折効率、帯域幅対応性）から、「反射ホログラム」の製作に選ばれる材料である。但し、重クロム酸ゼラチンは保存性に課題があり、「反射ホログラム」形成後に、湿式処理を必要とする。このため、この材料はホログラム記録の直前に新たに調製しなければならず、あるいは、予備硬化させたゼラチンを使用しなければならず、画像の再生効率を低下させる。
湿式処理は、ホログラム形成に際し、付加的工程をもち込むことになり、そして処理中に材料が膨潤し、ついで収縮する際に寸法的な変化を生じやすい。これらの寸法的な変化はフリンジの間隔に影響する。従って、重クロム酸ゼラチンによって高品質の「反射ホログラム」を作製することは、時間がかかり、かつ、困難である。
いくつかの処理工程を必要とする、銀塩写真乳剤、或いは、重クロム酸ゼラチンに対して、１回処理工程のみを必要とする固体光重合性材料、すなわち、フォトポリマー材料は、好適である。
【００２３】
フォトポリマー材料の例としては、固体の光重合性組成物であって、熱可塑性重合体結合剤、付加重合可能なエチレン系不飽和単量体、及び、不飽和単量体の重合を活性化する光開始剤からなる、屈折率変調を有する光重合性組成物が挙げられる。
熱可塑性重合体結合剤は、溶媒可溶性の熱可塑性重合体であるが、単独で、または、互に組合せて使用することができ、例えば、アクリレート及びアルファーアルキルアクリレートエステル等、並びに、それらの混合物を使用できる。エチレン系不飽和単量体は、単一の単量体として、または、組合せて使用することができる単量体として、スチレン、２−クロロスチレン等を用いることができる。
光開始剤としは、遊離ラジカル発生付加重合開始剤等を使用することができる。
体積ホログラムである、ホログラム形成層の厚さは、５μｍ〜３０μｍとする。好適には、１０μｍ〜２０μｍである。もちろん、この厚さは薄い方がコスト面や、透明性を確保するためには有利であるが、５μｍ未満では、反射型体積ホログラムのホログラム再生像が不鮮明となり、３０μｍを超えると、擬似接着シートとしての折り適性を悪化させる。
ホログラム形成層は、スピンコート、またはディッピング等により、また、グラビアコート、ロールコート、ダイコート等により塗布する。ホログラム形成層は塗布液に合わせた、乾燥ないし硬化の手段を用いて固化される。
光重合性組成物は、必要に応じて、ケトン系溶媒、エステル系溶媒、芳香族系溶媒等と配合し、混合することにより調製される。
この光重合性組成物は、その透明性を維持しつ、鮮明な体積ホログラムを再生でき、且つ、高い破断強度、小さい破断伸度、さらには、高い鉛筆硬度を有するため、高い透明性と、引張り耐性や耐摩耗性等の強靭な物理特性を必要とする、本発明の擬似接着シートに好適である。
【００２４】
反射型体積ホログラムは、物体光と参照光との光の干渉による干渉縞を、いわゆる、体積ホログラムの原理でホログラムを記録したものであり、例えば、フレネルホログラムなどのレーザー再生ホログラム、イメージホログラム及び白色光再生ホログラム、さらに、それらの原理を利用したカラーホログラム、コンピュータジェネレーテッドホログラム（ＣＧＨ。計算機合成ホログラムともいう。）、ホログラフィック回折格子などとすることができる。また、マシンリーダブルホログラムのように、その再生光を受光部でデータに変換し所定の情報として伝達したり、真偽判定を行うものであってもよい。
ここで、情報記録積層体を開いた時に（受取人が）目視にて鑑賞可能なホログラムを、少なくとも１種類は含めておくことは必須である。
体積ホログラムとなるホログラム形成層は、いわゆる「ホログラフィー露光装置」による所定の波長範囲のレーザー光等の光を使用し、ラジカル重合性化合物を重合させてその内部に干渉縞が記録される。この段階で、記録された干渉縞による回折光が得られ、体積ホログラムが形成されるが、体積ホログラム形成層として、カチオン重合性化合物、ラジカル重合性化合物、光ラジカル重合開始剤系、及び光カチオン重合開始剤系からなる感光性材料を用いた場合には、未反応のまま残っているカチオン重合性化合物を更に重合させるために、後露光として光カチオン重合開始剤系の感光する光（例えば波長２００〜８００ｎｍ）を全面照射して体積ホログラムを固定化するとよい。なお、後露光の前に体積ホログラム形成層を熱や赤外線で処理することで回折効率、回折光のピーク波長、半値巾などを変化させることもできる。
【００２５】
また、「レリーフホログラム」をホログラム形成層に用いる場合には、各種の透明な材料が用いられる。例えば、各種の熱可塑性樹脂、熱硬化性樹脂、もしくは電離放射線硬化性樹脂を用いることができる。
熱可塑性樹脂としては、アクリル酸エステル樹脂、もしくは、アクリルアミド樹脂等が、また、熱硬化性樹脂としては、不飽和ポリエステル樹脂、アルキッド樹脂、もしくはフェノール樹脂等が挙げられる。
これらの熱可塑性樹脂および熱硬化性樹脂は、各種イソシアネート樹脂を用いて架橋させてもよいし、あるいは、各種の硬化触媒、例えば、金属石鹸を配合するか、または、熱もしくは紫外線で重合を開始させるための、ベンゾイルパーオキサイド等の過酸化物、ベンゾフェノン、もしくは、アセトフェノン等を配合しても良い。
また、電離放射線硬化性樹脂としては、エポキシアクリレート等を挙げることができ、このような電離放射線硬化性樹脂に架橋構造を導入して用いてもよい。
さらに、環境に配慮して、生分解プラスチックをホログラム形成層として用いることもできる。
上記の透明な材料を用いてレリーフホログラム用のホログラム形成層を形成するには、直接的に形成することもできるが、複製用型を用い、賦型を行なうこともできる。後者は、非常に量産性に優れる。
紫外線硬化タイプや、電子線硬化タイプ等の電離放射線硬化性樹脂を用いることができ、この場合には、各種物理特性に優れ、「観賞用ホログラムシート」として長期間保存するときには、好適である。
ホログラムの種類としては、体積ホログラムに用いられるものと同様のものを用いることができる。
【００２６】
本発明において、「ホログラム」は鑑賞用とし、「開き率向上」をその目的として設けられているが、そのはがき等が信頼できる送付人から送られてきたことを示すという、いわゆる、偽造防止性を併せ持つことも好適である。
例えば、送付人がはがき等を送付した後、受取人が、その中にある返信用はがき部分（切り離し可能に設けられ、申込書の体裁を有する部分。）等に所定の個人情報等を記入して、返信用はがきとしてその送付人に送付する際に、その申込書が正しい送付人に送付（返送）されるものであることを保証するような目的で使われることも好適である。
また、単一波長光源である半導体レーザーや、照明波長帯域の狭いＬＥＤ光源（発光波長帯域幅１０ｎｍ〜５０ｎｍのピークを有するもの。）を用いて初めて視認可能となるような「ホログラム」を、通常の照明光で鑑賞可能なホログラムに追加して記録（記録角度を変えて記録する等の多重記録を意味する。）しておき、ホログラム鑑賞に加えて、真偽判定をすることも好適である。
さらには、情報記録積層体に用いる情報記録体の材質によって、上記した「剥がしカール」を解消することが困難な場合があり、このような場合には、情報記録積層体を開けた際に、必ず、「剥がしカール」が発生し、左右に開いた面の中央部分が、上記基準面から、数ｍｍ浮き上がる形となる。
但し、この「剥がしカール」の浮き上がり量（上記の場合は、「数ｍｍ」。）は、再現性があり、従って、ホログラム形成層にホログラムを記録する際、この浮き上がりを想定して、記録することにより、この様な「剥がしカール」が発生する情報記録積層体においても、歪みの少ない、鮮明なホログラム再生像を得ることができる。
【００２７】
すなわち、上記の「ホログラフィー露光装置」におけるホログラム撮影時に、その干渉縞形成面に配置している感光材面の形状を、この「剥がしカール」発生状態と同一の形状とし、ホログラムを撮影し、そのホログラムを、体積ホログラムや、レリーフホログラムとして複製することで得られる。
また、コンピュータジェネレーテッドホログラム（ＣＧＨ）の手法を用いて、ホログラムを再生するホログラム記録面が、「剥がしカール」の形状となるように設定してホログラムを作成することによっても、同様の、歪みの少ない、鮮明なホログラム再生像を得ることができるホログラム形成層を作成することができる。
立体像が再生可能なコンピュータジェネレーテッドホログラムの作成手法には、概略２つの方法があり、その１つは非特許文献「画像ラボ」（１９９７年４月号Ｖｏｌ．８，Ｎｏ．４．３４〜３７頁）もしくは、「３次元画像コンファレンス‘９９―３Ｄ  Ｉｍａｇｅ  Ｃｏｎｆｅｒｅｎｃｅ’９９−」講演論文集ＣＤ−ＲＯＭ（１９９９年６月３０日〜７月１日工学院大学新宿校舎）等で知られた物体表面を点光源の集合で置き換える方法である。もう１つは、ホログラフィック・ステレオグラムの方法である。
本発明においては、前者の物体表面を点光源の集合で置き換える方法を採用できる（図１参照。）。これは、干渉縞の強度分布を記録したバイナリホログラムであって、再生像が水平方向の視差のみを持ち、上方からの光源光で観察される場合について、その概要を説明すると、図１に示すように、ステップＳＴ１で、ＣＧＨ化する物体の形状が定義される。
【００２８】
次いで、ステップＳＴ２で、物体、ＣＧＨ面、参照光の空間配置が定義される。次いで、ステップＳＴ３で、物体は、水平面でのスライスにより垂直方向に分割され、さらにスライス面上で点光源の集合に置き換えられる。そして、ステップＳＴ４で、これらの空間配置に基き、ＣＧＨ面上に定義された各サンプル点において、物体を構成する各点光源から到達する光と参照光との干渉縞の強度が演算により求められ、干渉縞データが得られる。次に、ステップＳＴ５で、得られた干渉縞データは量子化された後、ステップＳＴ６で、ＥＢ描画（電子線描画）用矩形データに変換され、ステップＳＴ７で、ＥＢ描画装置により媒体に記録され、ＣＧＨが得られる。
より具体的には、本出願人が出願した「特開２００８−７７０４２公報」に記載した手法を用いることができる。すなわち、立体模様の原画像となる「三次元構造体Ｍ」として、その「三次元構造体Ｍ」の表面上の「標本点Ｑ」の位置における「法線ベクトルＮ」を、記録媒体１から所定のサイズの開口部を通して進行する「物体光」にあてはめ、これを投影面Ｓｙｚ（この投影面を上記カールを想定した曲面とする。）に投影して得られる投影ベクトルＮ＊と基準軸Ｒとの交差角ξを求め、θ＝ξ／２なる方位角θを定義して、「標本点Ｑ」に対応する投影面Ｓｙｚ上の点Ｐに位置する画素に、Ｘ軸に対して方位角θをなす方向を向いた回折格子線を配置してなる回折格子を有する画素パターンを割付け、この割付けを物理的記録媒体（記録媒体２。）に、電子線描画装置による電子線レジストへの描画及び、現像処理（ステップＳＴ８）を経て、本発明のホログラムレリーフ（原盤作成：ステップＳＴ９）を得るものである。
【００２９】
これらのレリーフホログラムのホログラムレリーフの凹凸のピッチ（周期）は、通常０．１μｍ〜数μｍであり、凹凸の深さは、通常０．１μｍ〜１μｍである。
単一回折格子のように、全く同一形状の凹凸の繰り返しであるものは、隣り合う凹凸が同じ形状であればある程、反射する光の干渉度合いが増しその強度が強くなり、最大値へと収束する。回折方向のぶれも最小となる。立体像のように、画像の個々の点が焦点に収束するものは、その焦点への収束精度が向上し、再現もしくは再生画像が鮮明となる。
上記の微細な形状を精密に再現するため、また、複製後の熱収縮などの歪みや変形を最小とするため、複製用の原版は金属を使用し、低温・高圧下で複製を行う。
複製用原版には、Ｎｉなどの硬度の高い金属を用いる。高圧回転式の複製に用いるためには、このＮｉ層の厚み精度を高くする必要がある。複製方式は、高圧とするため、平板式でなく、回転式を用いる。
レリーフホログラム用のホログラム形成層は、その表面に上記のような微細な凹凸を形成可能であればよいため、その厚さを非常に薄く形成することができ、擬似接着シートとしての折り適性を高いものとすることができる。
すなわち、その厚さは、上記した凹凸深さの２倍以上あればよいが、可視光線の波長よりも大きくすることが望ましく、０．５μｍ〜５．０μｍとする。０．５μｍ以下では、微細な凹凸を形成し難く、そして、「薄い塗膜の干渉現象」による不要な虹模様が発生し易く、また、５．０μｍを超えると上記した折り適性の悪化を招く。
【００３０】
このレリーフホログラムのホログラムレリーフ上に、接着剤層を設ける。すなわち、ホログラム形成層と接着剤層との界面が、ホログラムレリーフの凹凸形状となる。この際、ホログラム形成層の屈折率と接着剤層の屈折率との差を、０．１〜０．３とすることで、レリーフホログラムのホログラム再生像を視認可能なものとする。
この屈折率差が、０．１未満であると、ホログラム形成層と接着剤層との界面における光の反射光が、非常に小さいものとなり、その反射光の強度に左右される、レリーフホログラムのホログラム再生像の鮮明度（回折格子の回折効率にあたる。）が大幅に低下し、一般的な室内照明では、そのホログラム再生像を視認し難くなる。
この屈折率差は大きければ大きいほど、その界面での光の反射率が大きくなり、望ましいが、いずれも透明な樹脂を用いるホログラム形成層と、接着剤層とにおいては、０．３を超える屈折率差を実現することは、その量産性、及び、コスト面から、非常に困難である。
但し、接着剤層には、光散乱性を有すると同時に、高屈折率であって、接着剤層の屈折率を高めることができる、透明微粒子（二酸化チタン顔料：屈折率２．７０、酸化鉄パール顔料：屈折率３．０など。）を比較的多く混入させることが可能であるため（接着剤層を通過する光は、「ホログラム再生」には寄与しないため、敢えてこの散乱性を高くする。）、ホログラム形成層の屈折率を低く設定し、接着剤層の屈折率を高く設定するほうが、構成設計上、容易となる。
接着剤層に用い得る透明な樹脂としては、ポリメチルメタクリレート（屈折率ｎ＝１．４９）、ポリブチルアクリレート（ｎ＝１．４４）、ポリビニリデン（ｎ＝１．４２）、メチルセルロース（ｎ＝１．５０）、フッ素樹脂（ｎ＝１．３２）、メラミン樹脂（ｎ＝１．５６）等もしくは、この混合体等を適宜用いることができる。
【００３１】
そして、この透明な樹脂に、上記した透明微粒子を、その透明な樹脂の屈折率、希釈溶剤の種類、粘度、形成方法、形成厚さ等を考慮して、適宜選択し、透明な樹脂中に含ませる。具体的には、透明微粒子は、透明な樹脂に対して、その光散乱性と透明性、さらには、接着剤層の凝集力をも考慮して、１０％〜４０％の範囲内にて添加する。
１０％以下では、光散乱性を得難く、４０％を超えると、必要な透明性（記録情報を視認するために必要な透明性を意味する。透明微粒子が必要以上に多く含まれると、透明微粒子間での多重反射が増大し、記録情報が霞んで見え難くなる。）を得ることが難しくなる。
透明な樹脂に透明微粒子を含ませる際、透明微粒子の２次凝集を抑制し、微小な粒子が樹脂全体に均一に分散するようにするため、デゾルバー等の回転羽式での分散だけでなく、ガラスビーズや、スチールビーズを用いたボールミルや、ニーダーによる分散を１〜３時間行う。
また、透明微粒子の均一な分散性をさらに高めるために、透明微粒子表面のシランカップリング処理等の表面活性化処理や、各種の界面活性剤の添加等も好適である。更に必要に応じて可塑剤、その他の添加剤を加えて使用することができる。
これらの接着剤は、適宜、溶剤や、水に溶解させ、グラビア印刷等のコーティング方式や、カーテンコート方式、ノズル方式、シルク印刷、さらには、無溶剤のホットメルト方式等を用いて、上記のレリーフホログラムのホログラムレリーフ上に、乾燥後の形成厚さ、５μｍ〜５０μｍで、設けることができる。
５μｍ未満では、情報記録体表面との接着力が不十分であり、情報記録体に二つ折り等の折り加工を施した後、情報記録積層体を開封する際に、接着剤と情報記録体表面が部分的に剥離して、接着剤と情報記録体表面との間に空気が入り込み、ホログラム再生像の視認性を著しく低下させることとなる。また、５０μｍを超えると、情報記録積層体の厚さを不必要に厚くし、情報記録体上の記録情報の視認性を低下させることとなる。
【００３２】
上記した接着剤層に用いる透明な樹脂（接着剤を意味する。）は、ホログラム形成層と、情報記録体表面との接着性の強いものを適宜選択する。
接着剤層と、情報記録体との１８０度剥離強度（剥離強度測定は、ＪＩＳ Ｚ−０２３７に準じ、剥離速度５００ｍｍ／分とする。）は、２００ｇ／５０ｍｍ〜２０００ｇ／５０ｍｍ、特に、５００ｇ／５０ｍｍ以上とすることが望ましい。２００ｍｍ／５０ｍｍ未満では、郵送や配送中に、情報記録体表面と接着剤層間において剥離が発生し、その部分に空気が入り込む等の現象が発生して、秘匿情報等の確認や、ホログラム再生像の鑑賞を阻害する。特に、折り部分はこの不具合が発生し易い。
これらの接着剤層に用いる透明な樹脂は、ホログラム形成層として、体積ホログラムを用いる場合も同様にして用いることができる。
さらに、レリーフホログラムのホログラムレリーフに追従するように透明反射性薄膜層を設けることにより、ホログラムレリーフと透明反射性薄膜層との界面での屈折率差を大きくし、且つ、透明反射性薄膜層内での多重反射を生じさせて、光の反射率を高め、再生するホログラムの鮮明度をさらに高めることができる。
上記した透明反射性薄膜層としては、ＩＴＯ等の金属酸化物または窒化物であり、比較的厚く形成しても、高い透明性を維持し、且つ、所定の屈折率を有するものが好適である。
透明反射性薄膜層は、ほぼ無色透明な色相で、その光学的な屈折率がホログラム形成層の屈折率とは異なることにより、金属光沢が無いにもかかわらず、ホログラムなどの光輝性を視認できることから、「透明なホログラム」を実現することができる。例えば、ホログラム形成層よりも屈折率の高い薄膜を形成可能な、Ｓｂ2 Ｓ3 （ｎ＝３．０）、Ｆｅ2Ｏ3 （ｎ＝２．７）、ＴｉＯ2（ｎ＝２．６）、ＣｄＳ（ｎ＝２．６）、ＣｅＯ2（ｎ＝２．３）、ＺｎＳ（ｎ＝２．３）、ＰｂＣｌ2 （ｎ＝２．３）、ＣｄＯ（ｎ＝２．２）、Ｂｉ2Ｏ3 （ｎ＝２．５）、ＰｂＯ（ｎ＝２．６）、Ｔａ2Ｏ5 （ｎ＝２．４）、Ｉｎ2Ｏ3 （ｎ＝２．０）、Ｓｂ2Ｏ3（ｎ＝２．０）、ＷＯ3 （ｎ＝２．０）、ＳｉＯ（ｎ＝２．０）、ＺｎＯ（ｎ＝２．１  ）、ＺｒＯ2（ｎ＝２．０）、Ｃｄ2Ｏ3 （ｎ＝１．８）、Ａｌ2Ｏ3 （ｎ＝１．６）、ＣａＯ  ・ＳｉＯ2（ｎ＝１．８）等がある。
【００３３】
さらに、Ｂｅ、Ｍｇ、Ｃａ、Ｃｒ、Ｍｎ、Ｃｕ、Ａｇ、Ａｌ、Ｓｎ、Ｉｎ、Ｔｅ、Ｔｉ、Ｆｅ、Ｃｏ、Ｚｎ、Ｇｅ、Ｐｂ、Ｃｄ、Ｂｉ、Ｓｅ、Ｇａ、Ｒｂ、Ｓｂ、Ｐｂ、Ｎｉ、Ｓｒ、Ｂａ、Ｌａ、Ｃｅ、Ａｕなどの酸化物または窒化物、または、それらの２種以上を混合したものなどが例示できる。
透明反射性薄膜層の形成は、ホログラム形成層のホログラムレリーフ面に、追従するように、５０ｎｍ〜１０００ｎｍの厚さで形成する。好適には、１００ｎｍ〜５００μｍの厚さとし、蒸着、スパッタリング、イオンプレーティング、ＣＶＤ（化学蒸着法）などの真空薄膜法等により設ける。
透明反射性薄膜層を形成した場合は、上記した接着剤層は、この透明反射性薄膜層の上に上記したものと同様の形成方法を用いて、同様の厚さに設けることができるが、この場合には、透明反射性薄膜層において、十分な光の反射を得ることができるため、接着剤層の屈折率を上記のように選定する必要はなく、透明反射性薄膜層及び、情報記録体との接着性に優れるものを用いる。
透明基材の一方の面にホログラム形成層及び接着剤層を設けた、その反対側の面、すなわち、透明基材の他方の面には、擬似接着層を設ける。
剥離可能な擬似接着層は、情報記録体表面との密着及び、透明基材との再剥離を容易にするように調整されており、粘着主剤、粘着力調整剤、添加物等を混合したものを使用することができる。
粘着主剤は、天然ゴム、スチレンブタジエンゴム、ポリ酢酸ビニル等、または、これらの混合物が挙げられる。これらの粘着主剤の混合割合を、適宜、調整することによって、擬似接着層同士の自着性（同一材料同士の密着面の密着性を意味する。）を保持しつつ、透明基材との密着性を自着性より小さくする。
または、その混合割合を変えて、敢えて、透明基材との密着性を自着性より大きくし、透明基材と擬似接着層との界面でなく、擬似接着層同士の界面で再剥離させることもできる。
【００３４】
粘着力調整剤は、粘着主剤の粘着力を調整するために混合され、針状物質もしくは微粒状物質、または、これらの混合物が用いられる。
添加物として、取り扱い性、各種加工機内での搬送性能等の滑り性向上または耐ブロッキング性向上のための微粒子ワックス類、劣化防止のための紫外線吸収剤などを添加してもよい。
また、消泡剤として、非イオン系界面活性剤を添加したり、さらに、消泡助剤として、シリカ等を添加してもよい。
このような擬似接着層の形成厚さは、乾燥後で５μｍ〜５０μｍとする。
しかし、情報記録積層体を開いたときに、情報記録体の折り目を挟んで左右の領域上の、一方には、透明基材、ホログラム形成層、透明反射性薄膜層、接着剤層が積層され、他方には、擬似接着層が積層されている状態となることから、これら左右の領域の視認性に差を設けないようにするため、上記した接着剤層の厚さと、擬似接着層の厚さを同一として、含める透明微粒子の種類や含有量を同一とするなど、その光散乱性の程度（例えば、「ヘーズ」の値を同一とするなど。）を同一とすることも好適である。
その形成厚さが、５μｍ未満では、情報記録体表面との接着力が不十分であり、情報記録体に二つ折り等の折り加工を施して情報記録積層体とした後、情報記録積層体を開封する際に、擬似接着層と情報記録体表面が部分的に剥離して、擬似接着層と情報記録体表面との間に空気が入り込み、情報記録体上の記録情報の視認性を著しく低下させることとなる。また、５０μｍを超えても、やはり情報記録体上の記録情報の視認性を悪化させることとなる。
【００３５】
擬似接着層に用いられる樹脂としては、さらに、ポリエチレン樹脂、エチレン／メタクリル酸共重合樹脂、アイオノマー樹脂、エチレン／アクリル酸エチル共重合樹脂、ポリエチレン樹脂とアイオノマー樹脂との混合物系等が挙げられる。
特に、ガラス転移温度が２５℃以上のもの、及び、ビカット軟化温度が４５℃以上のものを選択して使用することが、透明基材との剥離性、及び、保存性を良好なものとすることができるので好ましい。
ここで、ビカット軟化温度とは、ＡＳＴＭＤ１５２５−７０によって測定した温度であり、プラスチック表面に１ｋｇの荷重をかけたゲージを配置して加熱したとき、ゲージの針先がプラスチック中に１ｍｍ入り込んだ時の温度で表され、ビカット軟化点と同義である。
また、他の例示として、ポリプロピレンフィルムを透明基材に用いた場合には、その上に積層される擬似接着層はプロピレンとαオレフィンの共重合体と結晶性ポリブテン（ポリブテン−１ホモポリマー）の混合体であることが好ましい。
さらに、擬似接着層は、その形成層の破断点伸度が３５０％（破断点伸度測定は、ＪＩＳ Ｋ−６７６０に準ずる。）以上となるように調整された形成層であることも好ましい。
破断点伸度が３５０％未満では、情報記録体の情報記録面間に擬似接着シートを挟んで、加熱、加圧により一体化された情報記録積層体を、剥離展開する（開けることを意味する。）際、擬似接着層が、層内でちぎれて、展開した透明基材上に部分的に付着し、「ムラ」となりやすく、ホログラム再生像の鮮明度を低下させる恐れがある。
【００３６】
また、透明基材と擬似接着層との界面における１８０度剥離強度は、２０〜１５０ｇ／５０ｍｍであることが好適であり、特に２０〜１００ｇ／５０ｍｍであることがさらに好ましい（剥離強度測定は、ＪＩＳ Ｚ−０２３７に準じ、剥離速度５００ｍｍ／分とする。）。こうすることで、情報記録積層体を開く際、透明基材と擬似接着層との界面でスムーズに剥離することができ、層内ちぎれの発生を抑制できる。
この剥離強度が、２０ｇ／５０ｍｍ未満であると自然剥離が発生し易く、郵送中や、配送中に二つ折りした情報記録積層体が開く恐れがあり、また、この剥離強度が１５０ｇ／５０ｍｍを超えると、「剥がしカール」が強く発生したり、表面強度の弱い情報記録体を使用した場合には、情報記録積層体を開く時に、その情報記録体の表面が剥がれ、ホログラム再生像が歪んで不鮮明となり、伝達する情報そのものの判読性をも低下させる恐れがある。
また、接着剤層や擬似接着層に、透明微粒子を混入する際、透明性と所定の光散乱性を維持しつつ、接着剤層や、擬似接着層の表面に０．５μｍ〜３μｍの深さの微細な凹凸を形成することにより、これを、二つ折りした情報記録体の中に挟んで、情報記録体との積層体を作製する方法を用いた時に、溶融した接着剤層や擬似接着層の透明な樹脂が、情報記録積層体の間からはみ出すことを防止することができる上、擬似接着シートをロール状に製造する際に、ロール状となった擬似接着シートのブロッキングを防止することができる。そして、この微細な凹凸は、情報記録体に貼着した際に消失するため好適である。
【発明の効果】
【００３７】
本発明によれば、
ホログラムを有する擬似接着シートを介して、少なくとも二つ折りした情報記録体を熱圧着により貼着し情報記録積層体として、情報記録体上に記録した情報と、そのホログラムとを内側に秘匿することにより、その情報記録積層体の擬似接着面を剥離、すなわち、その二つ折りを開いて初めてそのホログラムを観察でき、且つ、その情報を確認可能となる、情報記録積層体を提供することができ、且つ、その情報記録積層体を受け取った受取人の注意や関心を十分喚起して、その「開き率」を向上し、しかも、開いた情報記録積層体の片方の広い面積に渡ってホログラムを鑑賞できるものとし、さらには、その情報記録積層体を手元に保持させ得る機能を有する、擬似接着シート、及び、その擬似接着シートを用いた情報記録積層体を提供することができる。
【図面の簡単な説明】
【００３８】
【図１】計算機合成ホログラム（ＣＧＨ）作成方法の説明図である。
【図２】本発明の一実施例を示す擬似接着シートの断面図である。
【図３】本発明の別の実施例を示す擬似接着シート（ホログラム形成層にレリーフホロ            グラムを用いている。）の断面図である。
【図４】本発明のさらに別の実施例を示す擬似接着シート（ホログラム形成層に、レリ            ーフホログラム及び、そのホログラムレリーフに追従するように透明反射性薄            膜層を設けた２層構成のものを用いている。）の断面図である。
【図５】図２に示す、本発明の擬似接着シート（シート内部の層構成を省略している。            ）を、情報記録領域を有する面を内側にして２つ折りした情報記録体に挿入し            、加熱、加圧して圧着した情報記録積層体の断面図である。
【図６】情報記録積層体を、擬似接着シートの擬似接着層と、透明基材との界面で剥離            させて開いた後の情報記録積層体の断面図である。｛図中、点線は、情報記録            体を二つ折した際の折り目（境界線）の位置を示す。｝
【発明を実施するための形態】
【００３９】
以下、本発明の実施形態について、図面を参照しながら、詳細に説明する。
（擬似接着シート）
本発明の擬似接着シートＡ１〜Ａ３（図２〜４参照。）は、上記したように、透明基材１の一方の面に、ホログラム形成層２、もしくは、レリーフホログラム７を形成し（Ａ１、Ａ２参照。）、さらには、レリーフホログラム７の上に、そのレリーフホログラム７の表面の凹凸であるホログラムレリーフに追従するように、透明反射性薄膜層８を形成し（Ａ３参照。）、各層、すなわち、ホログラム形成層２、レリーフホログラム７、そして、透明反射性薄膜層８の上に、接着剤層３を形成したものにおいて、それらの透明基材１の他方の面に、擬似接着層４を形成したものである。
（透明基材、ホログラム形成層、レリーフホログラム及び、透明反射性薄膜層）
透明基材１としては、厚みを薄くすることが可能であって、機械的強度や、ホログラム形成層２、レリーフホログラム７、透明反射性薄膜層８、接着剤層３、擬似接着層４を設ける際の処理や加工、さらには、情報記録体９への接着処理、あるいは、折り加工時等の各種加工機による処理に適した物理特性を有するものであって、擬似接着層４との適度な接着性および再剥離性を有する、透明基材１を用いることが好ましい。（図２〜５参照。）
透明基材１としては、加工方法にもよるので、限定されるものではないが、フィルム状もしくはシート状のプラスチックが好ましい。
例えば、ポリエチレンテレフタレート（ＰＥＴ）、ポリカーボネート、ポリビニルアルコール、ポリスルホン、ポリエチレン、ポリプロピレン、ポリスチレン、ポリアリレート、トリアセチルセルロース（ＴＡＣ）、ジアセチルセルロース、ポリエチレン／ビニルアルコール等の各種のプラスチックフィルムを例示することができる。
透明基材１の厚さは、通常５〜１００μｍであるが、その取り扱い適性等から５〜２５μｍとすることが望ましい。
【００４０】
ホログラム形成層２には、各種のホログラム形成材料を用いることができる。（図２参照。）
ホログラム形成材料は、大別すると、振幅ホログラム形成材料と、位相ホログラム形成材料に分けられるが、本発明のホログラム形成層２には、位相ホログラム形成材料を使用する。
これは、振幅ホログラムが専ら透過タイプのホログラム（光を透過させる際にその明暗パターンによるホログラム情報を付加するもの。）として用いられるためであり、照明光を反射させてホログラム再生を行う本発明の擬似接着シートＡ１〜Ａ３には不向きなためである。
位相ホログラムを、さらに大別すると、３次元記録をする「体積ホログラム」用材料と、記録材の表面の凹凸形状でホログラムを記録する「レリーフホログラム」用材料に分けられる。
体積ホログラム用材料に対して、参照光と物体光をそれぞれ異なる側（方向）から照射して、その干渉縞を記録すると、「反射型の体積ホログラム」を記録することができ、本発明のホログラム形成層２には、この「反射型の体積ホログラム」を使用する。
また、レリーフホログラム７も、その原理から、反射型、もしくは透過型、いずれも形成することができるが、そのホログラムレリーフである凹凸の深さを設定する際、反射型用と透過型用では、その最適な深さが異なるため、反射型用に凹凸深さを設定すると、そのレリーフホログラム７を敢えて、透過型として観察した場合、そのホログラム再生効率を著しく小さくすることができ、ほとんど視認することはできないものとすることができる。逆に、その凹凸深さを、透過型に設定すると、反射型としては視認し難いものとなる。
【００４１】
本発明のレリーフホログラム７は、上記したごとく、その凹凸深さを反射型に設定したものを使用する。（図３参照。）
上記の「反射型の体積ホログラム」をホログラム形成層２に用いる場合には、高感度、且つ、高解像度の銀塩写真乳剤、重クロム酸ゼラチン、ポジ型、及び、ネガ型フォトレジスト、架橋型、ラジカル重合型、カチオン重合型、化学増幅型、ナノ粒子分散系フォトポリマー、フォトリフラクティブ材料、フォトクロミック材料等を用いることができる。
フォトポリマー材料としては、固体の光重合性組成物であって、熱可塑性重合体結合剤、付加重合可能なエチレン系不飽和単量体、及び、不飽和単量体の重合を活性化する光開始剤からなる、屈折率変調を有する光重合性組成物を用いることができる。
熱可塑性重合体結合剤は、溶媒可溶性の熱可塑性重合体であるが、単独で、または、互に組合せて使用することができ、例えば、アクリレート及びアルファーアルキルアクリレートエステル、ポリビニルエステル、飽和及び不飽和ポリウレタン、ブタジエン及びイソプレン重合体及び共重合体、エポキシ化物、ポリアミド等、並びに、それらの混合物を使用できる。エチレン系不飽和単量体は、単一の単量体として、または、組合せて使用することができる単量体として、スチレン、２−クロロスチレン、２−ブロモスチレン、メトキシスチレン、アクリル酸フェニル等を用いることができる。
【００４２】
光開始剤としは、遊離ラジカル発生付加重合開始剤等を使用することができる。
反射型体積ホログラムである、ホログラム形成層２の厚さは、５μｍ〜３０μｍとする。好適には、１０μｍ〜２０μｍである。５μｍ未満では、反射型体積ホログラムのホログラム再生像が不鮮明となり、３０μｍを超えると、擬似接着シートとしての折り適性を悪化させるとともに、折り目にあたる領域の変形が目立つようになるため、ホログラム全体の意匠性が低下する。
ホログラム形成層２は、光重合性組成物の塗布液（例えば、固形分１５〜２５％）を、透明基材１が、１枚毎のシート状であればバーコート、スピンコート、またはディッピング等により塗布形成され、また、透明基材１、がロール状の長尺の状態で塗布するのであれば、グラビアコート、ロールコート、ダイコート、またはコンマコート等により塗布する。ホログラム形成層２は塗布液に合わせた、乾燥ないし硬化の手段を用いて固化される。
その光重合性組成物としては、一例として、組成物全体に対してカチオン重合性化合物を１０〜５０％、ラジカル重合性化合物を４０〜７０％、光ラジカル重合開始剤系を１〜５％、及び、光カチオン重合開始剤系を１〜５％とするとよく、全量を１００％となるように配合する。
【００４３】
光重合性組成物は、必須成分および添加物をそのまま、もしくは必要に応じてメチルエチルケトン等のケトン系溶媒、酢酸エチル等のエステル系溶媒、トルエン、キシレンなどの芳香族系溶媒、メチルセロソルブ等のセロソルブ系溶媒、メタノール等のアルコール系溶媒、テトラヒドロフラン、ジオキサン等のエーテル系溶媒、ジクロロメタン、クロロホルム等のハロゲン系溶媒と配合し、冷暗所にて、高速撹拌機を使用して混合することにより調製される。
この光重合性組成物は、その透明性を維持しつ、鮮明な体積ホログラムを再生でき、且つ、高い破断強度、小さい破断伸度、さらには、高い鉛筆硬度を有するため、高い透明性と、引張り耐性や耐摩耗性等の強靭な物理特性を必要とする、擬似接着シートＡ１に好適である。
特に、二つ折り等の折り曲げ適性に優れ、情報記録積層体Ａ４（図５参照。）を開いて、その開き角度を繰り返し変化させても、その折り曲げ部分の劣化が発生し難いため、好適である。（１８０度開いた状態が、情報記録積層体Ａ４を開いた後の情報記録積層体Ａ５となる。図６参照。）
反射型体積ホログラムは、フレネルホログラム、イメージホログラム、白色光再生ホログラム、カラーホログラム、コンピュータジェネレーテッドホログラム、ホログラフィック回折格子、また、マシンリーダブルホログラムとすることができる。
ここで、情報記録積層体Ａ４を開いた時に（受取人が）目視にて鑑賞可能なホログラムを、少なくとも１種類は含めておく。（図５及び６参照。）
【００４４】
体積ホログラムとなるホログラム形成層２は、レーザー光を用いた撮影方法や、複製方法により作成することができる。
また、「レリーフホログラム」をホログラム形成層２に用いる場合には、各種の透明な材料が用いられる。例えば、各種の熱可塑性樹脂、熱硬化性樹脂、もしくは電離放射線硬化性樹脂を用いることができる。
熱可塑性樹脂としては、アクリル酸エステル樹脂（屈折率ｎ＝１．４７）、アクリルアミド樹脂（ｎ＝１．５０）、ニトロセルロース樹脂（ｎ＝１．５４）、酢酸ビニル樹脂（ｎ＝１．４７）、もしくは、ポリスチレン樹脂（ｎ＝１．６０）等が、また、熱硬化性樹脂としては、不飽和ポリエステル樹脂（ｎ＝１．６４）、ウレタン樹脂（ｎ＝１．６０）、エポキシ変性アクリル樹脂（ｎ＝１．５５）、エポキシ変性不飽和ポリエステル樹脂（ｎ＝１．６４）、アルキッド樹脂（ｎ＝１．５４）、もしくはフェノール樹脂（ｎ＝１．６０）等が挙げられる。
これらの熱可塑性樹脂および熱硬化性樹脂は、１種もしくは２種以上を使用することができる。これらの樹脂の１種もしくは２種以上は、各種イソシアネート樹脂を用いて架橋させてもよいし、あるいは、各種の硬化触媒、例えば、ナフテン酸コバルト、もしくはナフテン酸亜鉛等の金属石鹸を配合するか、または、熱もしくは紫外線で重合を開始させるためのベンゾイルパーオキサイド、メチルエチルケトンパーオキサイド等の過酸化物、ベンゾフェノン、アセトフェノン、アントラキノン、ナフトキノン、アゾビスイソブチロニトリル、もしくはジフェニルスルフィド等を配合しても良い。
【００４５】
また、電離放射線硬化性樹脂としては、エポキシアクリレート（ｎ＝１．５５）、ウレタンアクリレート（ｎ＝１．５４）、アクリル変性ポリエステル（ｎ＝１．６４）等を挙げることができ、このような電離放射線硬化性樹脂に架橋構造を導入するか、もしくは粘度を調整する目的で、単官能モノマーもしくは多官能モノマー、またはオリゴマー等を配合して用いてもよい。
さらに、環境に配慮して、生分解プラスチックをホログラム形成層２として用いることもできる。
上記の樹脂材料を用いてレリーフホログラム用のホログラム形成層２を形成するには、直接的に形成することもできるが、複製用型を用い、賦型を行なうこともできる。後者は、非常に量産性に優れる。
熱硬化性樹脂や電離放射線硬化性樹脂を用いる場合には、複製用型面に未硬化の樹脂を密着させたまま、加熱もしくは電離放射線照射により、硬化を行わせ、硬化後に剥離することによって、硬化した透明な樹脂材料からなる層の片面にレリーフホログラムの凹凸を形成することができる。なお、同様な方法によりパターン状に形成して模様状とした回折格子を有する回折格子形成層も光回折構造として使用できる。
【００４６】
ホログラムとしては、体積ホログラムと同様に、レーザ再生ホログラム、白色光再生ホログラム、さらに、それらの原理を利用したカラーホログラム、コンピュータジェネレーテッドホログラム（ＣＧＨ）、ホログラフィック回折格子、複合回折格子で構成されるホログラムや、マシンリーダブルホログラムなどを用いることができる。
これらのレリーフホログラムは、図３における、レリーフホログラム７としても、用いることができる。但し、レリーフホログラム７として用いる場合には、その屈折率を、接着剤層３の屈折率と、０．１〜０．３だけ異なるものを使用する。
レリーフホログラム７は、非常に量産性に優れ、大量に郵送、または配送する用途に好適である。
レリーフホログラム７のホログラムレリーフの凹凸のピッチは、０．１μｍ〜数μｍとし、凹凸の深さは、０．１μｍ〜１μｍとする。
上記の微細な形状を精密に再現するため、また、複製後の熱収縮などの歪みや変形を最小とするため、複製用の原版は金属を使用し、低温・高圧下で複製を行う。
従って、生分解性プラスチックを用いる場合にも、低温処理の可能なもの、すなわち、その融点が低いものが好ましく、その融点が１１０℃以下のものは特に好ましい。
【００４７】
複製用原版には、Ｎｉなどの硬度の高い金属を用いる。この複製用原版は、光学的撮影もしくは、電子線描画などにより形成したガラスマスターなどの表面に、Ｃｒ、Ｎｉ薄膜を真空蒸着法、スパッタリングなどにより５〜５０ｎｍ形成後、Ｎｉなどを電着法（電気めっき、無電解めっき、さらには複合めっきなど）により５０〜１０００μｍ形成した後、金属を剥離することで作ることができる。
高圧回転式の複製に用いるためには、このＮｉ層の厚み精度を高くする必要があり、通常±１０μｍ、好ましくは、±１μｍとする。このため、裏面の研磨や、平坦化方法を用いてもよい。
複製方式は、高圧とするため、平板式でなく、回転式を用い、線圧０．１トン／ｍ〜１０トン／ｍ、好ましくは、５トン／ｍ以上とする。複製用シリンダーは、その直径が小さいとレリーフの再現性が低下するため、複製シリンダー直径は大きい方が好ましく、通常、直径０．１ｍ〜２．０ｍ、好ましくは、１．０ｍ以上の「弧」を使用する。
例えば、透明基材１上のホログラム形成層２をこの複製用シリンダーに沿って押し当て、裏面より（透明基材１側から）金属製シリンダーにより上記圧力にて複製を実施する。複製後の熱収縮などの歪みや変形を最小限とするためには、透明基材１全体を加熱するのではなく、ホログラム形成層２のレリーフホログラム７形成側の面の一部のみを加熱する方法が望ましい。通常６０℃〜１１０℃に加熱する。さらには、裏面の金属製シリンダーを常温に保つ、もしくは冷却することで、さらにその精度を向上させることができる。
【００４８】
レリーフホログラム７用のホログラム形成層２は、その表面に上記のような微細な凹凸を形成可能であればよいため、その厚さを非常に薄く形成することができ、透明性が高く、鮮明なホログラムを再生でき、且つ、情報記録積層体Ａ４とした際の厚さを、より小さいものとすることができる。
すなわち、その厚さは、０．５μｍ〜５．０μｍとする。０．５μｍ以下では、複製圧力を高くしても微細な凹凸を正確には形成し難い上、不要な虹模様が発生し易く、また、５．０μｍを超えると、折り適性の劣化を招くとともに、折り領域の変形が目立ち易くなる。
さらに、レリーフホログラム７のホログラムレリーフに追従するように透明反射性薄膜層８を設けることにより、レリーフホログラム７と透明反射性薄膜層８との界面での屈折率差を大きくし、再生するホログラムの鮮明度をさらに高める。（図４参照。）
上記した透明反射性薄膜層８としては、金属酸化物または窒化物を用いる。すなわち、レリーフホログラム７よりも屈折率の高い薄膜を形成可能な、Ｓｂ2 Ｓ3 （ｎ＝３．０）、Ｆｅ2Ｏ3 （ｎ＝２．７）、ＴｉＯ2（ｎ＝２．６）、ＣｄＳ（ｎ＝２．６）、ＣｅＯ2（ｎ＝２．３）、ＺｎＳ（ｎ＝２．３）、ＰｂＣｌ2 （ｎ＝２．３）、ＣｄＯ（ｎ＝２．２）、Ｂｉ2Ｏ3 （ｎ＝２．５）、ＰｂＯ（ｎ＝２．６）、Ｔａ2Ｏ5 （ｎ＝２．４）、Ｉｎ2Ｏ3 （ｎ＝２．０）、Ｓｂ2Ｏ3（ｎ＝２．０）、ＷＯ3 （ｎ＝２．０）、ＳｉＯ（ｎ＝２．０）、ＺｎＯ（ｎ＝２．１  ）、ＺｒＯ2（ｎ＝２．０）、Ｃｄ2Ｏ3 （ｎ＝１．８）、Ａｌ2Ｏ3 （ｎ＝１．６）、ＣａＯ  ・ＳｉＯ2（ｎ＝１．８）等を用いる。
【００４９】
さらに、Ｂｅ、Ｍｇ、Ｃａ、Ｃｒ、Ｍｎ、Ｃｕ、Ａｇ、Ａｌ、Ｓｎ、Ｉｎ、Ｔｅ、Ｔｉ、Ｆｅ、Ｃｏ、Ｚｎ、Ｇｅ、Ｐｂ、Ｃｄ、Ｂｉ、Ｓｅ、Ｇａ、Ｒｂ、Ｓｂ、Ｐｂ、Ｎｉ、Ｓｒ、Ｂａ、Ｌａ、Ｃｅ、Ａｕなどの酸化物または窒化物、または、それらを２種以上を混合したものなどを用いる。
透明反射性薄膜層８は、レリーフホログラム７のホログラムレリーフ面に、追従するように、５０ｎｍ〜１０００ｎｍの厚さで形成する。好適には、１００ｎｍ〜５００μｍの厚さとし、蒸着、スパッタリング、イオンプレーティング、ＣＶＤ（化学蒸着法）などの真空薄膜法などにより設ける。
透明反射性薄膜層８を形成した場合は、この上に設ける接着剤層３は、透明反射性薄膜層８において、十分な光の反射を得ることができるため、接着剤層３の屈折率を特に制限する必要はなく、透明反射性薄膜層８及び、情報記録体９との接着性に優れるもの、且つ、その情報記録領域１０との接着性にも優れるものを用いる。
情報記録体９や、情報記録領域１０との接着性が不十分であると、情報記録積層体Ａ４を郵送したり、配送したりしている過程で、情報記録体９や、情報記録領域１０と、接着剤層３との界面に剥離現象が発生し、空気が回り込んで、白濁して見え、ホログラム再生像の鮮明度を低下させる原因となる。
【００５０】
（接着剤層）
このホログラム形成層２の上に、または、レリーフホログラム７のホログラムレリーフ上に、さらには、透明反射性薄膜層８の上に、接着剤層３を設ける。（図２〜４参照。）
レリーフホログラム７のホログラムレリーフ上に設ける場合には、レリーフホログラム７と接着剤層３との界面が、ホログラムレリーフの凹凸形状となるため、接着剤層３の屈折率を、レリーフホログラム７の屈折率に対して、０．１〜０．３だけ、差のあるものとする。
接着剤層３に用い得る透明な樹脂（すなわち、接着剤）としては、ポリメチルメタクリレート（屈折率ｎ＝１．４９）、ポリメチルアクリレート（ｎ＝１．４７）、ポリベンジルメタクリレート（ｎ＝１．５７）、ポリブチルアクリレート（ｎ＝１．４４）、ポリビニリデン（ｎ＝１．４２）、ポリイソブチルアクリレート（ｎ＝１．４８）、硝酸セルロース（ｎ＝１．５４）、メチルセルロース（ｎ＝１．５０）、セルロース・アセテートプロピオネート（ｎ＝１．４７）、ポリスチレン（ｎ＝１．６０）、ポリエチレンテレフタレート（ｎ＝１．６４）、ポリ酢酸ビニル（ｎ＝１．４７）、ポリ塩化ビニル・酢酸ビニル（ｎ＝１．５４）、フッ素樹脂（ｎ＝１．３２）、メラミン樹脂（ｎ＝１．５６）、ポリカーボネート（ｎ＝１．５９）、エポキシ樹脂（ｎ＝１．６０〜１．６５）、フェノール樹脂（ｎ＝１．６０）、チオウレタン樹脂（ｎ＝１．５５〜１．７５）、酢酸ビニル樹脂（ｎ＝１．４７）、アクリル樹脂（ｎ＝１．４５）、酢酸ビニル−アクリル共重合体（ｎ＝１．４８）、酢酸ビニル−塩化ビニル共重合体（ｎ＝１．５４）、エチレン−酢酸ビニル共重合体、ポリウレタン樹脂（ｎ＝１．６０）、チオウレタン樹脂（ｎ＝１．５５〜１．７５）等や、天然ゴム（ｎ＝１．５２）、クロロプレンゴム（ｎ＝１．３５〜１．５６）などのゴム系樹脂等もしくは、この混合体等を適宜用いることができる。
【００５１】
また、溶剤系及び水系のいずれの接着剤も用いることができ、特に、ホログラム形成層２や、レリーフホログラム７を構成する材料に対して、溶解したり、膨潤させたりすること（わずかな溶解、膨潤でもホログラム再生像への影響は大きい。）の少ない、水系のものがより好適である。
そして、これらの透明な樹脂に、「透明微粒子Ｐ１」５を含める。（図２〜４参照。）
この「透明微粒子Ｐ１」５には、
金属酸化物、金属窒化物または金属炭化物等の金属化合物であって高い透明性を有し、その質量平均粒子径が５μｍ以下のもの、特には、質量平均粒子径が１μｍ以下のもの、であって、いずれも、１０ｎｍ以上であるものを用いることができる。
また、透明な樹脂の粉体であって、質量平均粒径が１０μｍ以下で且つ粉体を分散保持する樹脂との屈折率が異なるもの、特には、質量平均粒径が３μｍ以下で且つ粉体を分散保持する樹脂との屈折率が異なるもの、であって、いずれも、０．１μｍ以上のものも用いることができる。
【００５２】
さらには、金属粒子であって、その質量平均粒子径が１μｍ以下のもの、特には、１００ｎｍ以下のものであって、いずれも、１０ｎｍ以上のものであることで、樹脂に分散した際に、高い透明性と、所定の光散乱性を有するものを使用することができる。
具体的には、金属化合物として、シリカ、板状アルミナ、繊維状アルミナ、ジルコニア、Ｙ−ＰＳＺ、スピネル、タルク、ムライト、コージエライト、炭化ケイ素、酸化イットリウム、酸化セリウム、酸化サマリウム、酸化ランタン、酸化タンタル、酸化テルビウム、酸化ユーロピウム、酸化ネオジム、酸化亜鉛、酸化チタン、フッ化グネシウム、酸化スズ、アンチモン含有酸化スズ（ＡＴＯ）、スズ含有酸化インジウム（ＩＴＯ）、チタン酸バリウム、ＰＴ、ＰＺＴ、ＰＬＺＴ、さらには、有色透明性を有する、ヘマタイト、コバルトブルー、コバルトバイオレット、コバルトグリーン、窒化アルミニウム（ＡｌＮ）、窒化シリコン（Ｓｉ3Ｎ4）、炭化タンタル、炭化ニオブ等を用いることができる。
さらに具体的には（以下、（）内に平均粒径を示す。）、
シーアイ化成社超微粒子パウダー：酸化アルミニウム（３１ｎｍ）、酸化ビスマス（５１ｎｍ）、酸化セリウム（１４ｎｍ）、酸化コバルト（２２ｎｍ）、酸化銅（４８ｎｍ）、酸化ホロニウム（３８ｎｍ）、酸化イットリウム（３３ｎｍ）、コバルトブルー（４０ｎｍ）や、安達産業ファインパウダー：窒化アルミニウム（０．２μｍ）、窒化硼素（六方晶）（２μｍ）、炭化タンタル（１．３μｍ）、炭化ニオブ（１．５μｍ）、炭化ケイ素（０．４５μｍ）、酸化ビスマス（柱状）（２−４μｍ）、酸化ジルコニウム（不定形）（０．８μｍ）、五酸化タンタル（不定形）（０．７μｍ）、酸化イリジウム（０．１μｍ以下）、酸化亜鉛（不定形）（０．１−０．３μｍ）等を用いることができる。
また、透明な樹脂の粉体として、ナイロンパウダー、 アクリルパウダー、フェノールパウダー、シリコーンパウダー、ペンゾグアナミン・メラミンパウダー、ポリエチレンパウダー、セルロースパウダー、超高分子量ポリオレフィン（ＰＥ）パウダー、フッ素樹脂パウダー、ＰＡＮ（ポリアクリロニトリル）系パウダー、スチレンパウダー、アクリル・スチレン系パウダー等を用いることができる。
【００５３】
さらに、具体的には、ナイロンパウダー：住化エンビロサイエンス社（５―９μｍ）、
フッ素樹脂パウダー：三井・デュポンフロロケミカル社  ＰＴＦＥディスパージョン（０．２〜０．２５μｍ）、
安達産業ポリマーファインパウダー（球状）：ベンゾグアナミン・ホルマリンパウダー（１−３μｍ）、メラミン・ホルマリンパウダー（０．１−０．３μｍ）、同（１−２μｍ）、シリコーン樹脂（０．３μｍ）、同（０．５μｍ）、同（０．８μｍ）、スチレン・アクリル酸エステル系（０．０５μｍ）、同（０．０８μｍ）、同（０．１μｍ）、架橋ポリスチレン（６−８μｍ）、フッ素樹脂（０．２μｍ）、同（０．３μｍ）、フッ化ビニリデン樹脂（０．１５−０．３μｍ）等を用いることができる。
ここで、これらの透明な樹脂の粉体と、透明な樹脂の粉体を分散させる樹脂（接着剤層３に用いられる樹脂を意味する。）との屈折率差は、０．０１以上あれば、その透明な樹脂の粉体による光散乱性を発現することができるが、屈折率差は、０．１〜０．６とする。
そして、金属微粒子としては、Ａｕナノ粒子（４．４ｎｍ）、Ａｇナノ粒子（１１．５ｎｍ）、Ｃｕナノ粒子（１１．４ｎｍ）、タングステン微粒子、ニッケル微粒子等を用いることができ、
さらに具体的には、安達産業社製貴金属（球状）：金（０．５μｍ）、銀（０．２μｍ）、同（０．５μｍ）、同（１μｍ）、タングステン（不定形）（０．６μｍ）、同（１．５μｍ）、モリブデン（不定形）（０．５μｍ）、ニッケル（０．２μｍ）、同（０．３μｍ）、同（０．４μｍ）等を用いることができる。
【００５４】
また、自然にやさしい材料構成とするために、特に、天然ゴムを主成分とするラテックス、それを変性したもの、特に天然ゴムにスチレン特にメタクリル酸メチルとをグラフト重合させて得た天然ゴムラテックス等の天然素材から作製されたものを用いても良く、また、アクリル系樹脂、ポリエステル系樹脂（ｎ＝１．６０）、ポリアミド系樹脂（ｎ＝１．５３）、または、これらのゴム変性物などの比較的内部凝集力の大きいものも適宜選択して使用でき、単体、もしくは２種以上の混合系で、更に必要に応じて可塑剤、その他の添加剤を加えて使用することができる。
そして、その透明な樹脂に、この［透明微粒子Ｐ１］５を、１０％〜４０％の範囲内にて添加、分散する。
これらの［透明微粒子Ｐ１］５を含む接着剤を、適宜、溶剤や、水に溶解させ、各種コーティング方式や、シルクスクリーン印刷方式、ホットメルト方式等を用いて、ホログラム形成層２上、レリーフホログラム７のホログラムレリーフ上、または、透明反射性薄膜層８上に、乾燥後の形成厚さ、５μｍ〜５０μｍで、設け、接着剤層３とする。
このとき、接着剤層３の「ヘーズ」は、１０％〜３０％とする。
また、上記した接着剤層３に用いる透明な樹脂（接着剤）には、ホログラム形成層２、レリーフホログラム７、透明反射性薄膜層８と、さらには、情報記録体９表面や、その上の情報記録領域１０表面との接着性の強いものを適宜選択する。（図５参照。）
【００５５】
（擬似接着層、擬似接着シート、情報記録体及び、情報記録積層体）
擬似接着層４としては、粘着主剤、［透明微粒子Ｐ２］６、粘着力調整剤、添加物等を混合し、擬似接着層４と、情報記録体９表面やその上の情報記録領域１０表面との接着性、及び、透明基材１との再剥離性を調整したものを使用する。（図５参照。）
その混合割合は、粘着主剤を１００部、［透明微粒子Ｐ２］６を１０〜４０部、粘着力調整剤を５〜１０部、そして、添加物は、ワックス０．０１〜５部、紫外線吸収剤、消泡剤、消泡助剤を、適宜、微量添加し、エマルジョン化成分として、水２００〜３００部、乳化剤０．５〜２部、エマルジョン化用樹脂１〜５０部とする。（粘着主剤である透明な樹脂に対する、［透明微粒子Ｐ２］６の添加割合は、１０％〜４０％の範囲内とする。）
粘着主剤としては、天然ゴム、エステル化天然ゴム、スチレンブタジエンゴム、クロロプレンゴム、ポリ酢酸ビニル、ポリメチルメタクリレート等、または、これらの混合物、さらには、上記の接着剤層３に用いることができる透明な樹脂を用いることができる。
粘着主剤の混合にあたっては、その混合割合を、調整して、擬似接着層４と情報記録体９表面や、その上の情報記録領域１０表面との接着性を保持しつつ、透明基材１との密着性をその接着性より小さくする。（図５参照。）
【００５６】
［透明微粒子Ｐ２］６としては、接着剤層３の［透明微粒子Ｐ１］５に用いることができる「透明微粒子」から選択し使用することができる。
擬似接着層４も、情報記録積層体Ａ４を開いた状態Ａ５においては、接着剤層３と同様に、ホログラム形成層２に記録されているホログラムの鑑賞の阻害要因とならないため、［ホログラム照明光に対して要求される「透明性」］を有する必要は無く、散乱性や、隠ぺい性を付与することができる（「散乱性を含み透明」であればよい。）
粘着力調整剤としては、針状物質として、無機物質、有機物質のいずれでもよく、その形状が略針状であればよく、偏平状、螺旋状、鱗片状等の様々な形態を持つものから任意に選択する。また、微粒状物質を用いることもでき、マイクロシリカ、合成ゼオライト、活性アルミナゲル、炭酸カルシウム、酸化亜鉛、酸化チタン、タルク、クレー、カオリン、活性白土、アクリルビーズ、澱粉、セルロース、シラスバルーン等が挙げられ、その粒径は、０．０１μｍ〜０．３μｍ、さらには０．０１μｍ〜０．１μｍの範囲にあるものが好適である。針状物質と共に添加することにより、微粒状物質の添加量を少なくすることができると共に微粒状物質の粉落ちを防止することができる。
添加物としては、ポリエチレンワックス、カルナウバワックス等の微粒子ワックス類、劣化防止のために、アンモニア、エタノールアミン等の紫外線吸収剤などを添加することができる。
また、消泡剤（非イオン系界面活性剤や、アニオン系界面活性剤（鉱物油系））、さらに、消泡助剤等を添加できる。
これらの粘着主剤、粘着力調整剤、添加物は、水等の媒体に分散してエマルジョン状態として透明基材１に塗布する。
【００５７】
エマルジョン化の際には、必要に応じて乳化剤を添加する。乳化剤としては、オレイン酸石鹸、ひまし油カリウム石鹸、カゼイン、にかわ、ゼラチン等を使用できる。また、エマルジョン化したときの粘着主剤の２次凝集防止のために、粘着主剤と親和性を有しないエマルジョン化用樹脂を添加することができる。
このエマルジョン化用樹脂としては、水分散性高分子ポリエステル、熱可塑性エラストマー、また、低密度ポリエチレン等の低分子ポリエチレン、アイオノマー、酢酸ビニル−オレフィン共重合体等が好適に使用できる。
擬似接着層４は、擬似接着シートＡ１〜Ａ３の場合には、その最上層として、ホログラム形成層２を隠ぺいし、情報記録積層体Ａ４を開いた状態Ａ５（図６参照。）のときには、情報記録領域１０にある記録された情報を視認可能となるように、上記の粘着力調整剤の中から、隠ぺい性を有するものを添加したり、不定形のものを添加して擬似接着シートＡ１〜Ａ３の場合の最表面を粗面化する（その凹凸深さが３〜５μｍ）ことも好適である。（図示せず。）
上記したエマルジョン等、水系の材料により形成された擬似接着層４は、透明基材１から剥離したときに、その表面が鏡面となり易く、この層を透過するホログラム照明光や、ホログラムを再生する反射光を乱すことが少ないため、好適である。
擬似接着層４の形成厚さは、乾燥後で、５μｍ〜５０μｍとする。（図２〜４参照。）
このとき、擬似接着層４の「ヘーズ」は、１０％〜３０％とする。
擬似接着層４に用いられる樹脂としては、さらに、ポリエチレン樹脂、エチレン／メタクリル酸共重合樹脂、アイオノマー樹脂、エチレン／アクリル酸エチル共重合樹脂、の単体或いはこれらの混合物系等を用いることができるが、特に、ポリエチレン樹脂とアイオノマー樹脂との混合物系（混合比率＝９５／５〜３０／７０）が剥離の安定性に優れるため好適である。
【００５８】
さらに、エチレン／酢酸ビニル共重合樹脂、エチレン／アクリル酸共重合樹脂、エチレン／アクリル酸エチル共重合樹脂、ポリウレタン樹脂、ホリアミド樹脂、塩化ビニル／酢酸ビニル共重合樹脂、ポリエステル樹脂、塩化ビニル／プロピオン酸ビニル共重合樹脂、ポリビニルホルマール樹脂、ポリビニルブチラール樹脂等の中から選択される少なくとも１種の樹脂を使用することもできる。特に、エチレン／酢酸ビニル共重合樹脂の単体もしくは複数の混合物を使用することが好ましい。
また、透明基材１との剥離性、及び、保存性を良好なものとするため、ガラス転移温度が２５℃以上のもの、及び、ビカット軟化温度が４５℃以上のものを使用する。
特に、エチレン系共重合ポリオレフィン、低密度ポリオレフィン、酢酸ビニル系共重合ポリオレフィン、アイオノマー樹脂ディスバージョンの中から選択された何れかの樹脂と自己乳化型ポリオレフィン樹脂とを、樹脂混合比率９５／５〜５／９５の割合で混合したものを、透明基材１上に塗布・乾燥して形成した、ビカット温度４５℃以上のものが好適である。
【００５９】
擬似接着層４と、接着剤層３との好適な組み合わせとしては、擬似接着層４を、ビカット軟化温度が４５℃以上の、熱可塑性エラストマー、アイオノマー樹脂、低分子量ポリオレフィン樹脂の中から選択される少なくとも１種の樹脂を使用し、接着剤層３として、ガラス転移温度が３０〜７０℃、もしくはビカット軟化温度が４０〜６５℃のエチレン／酢酸ビニル共重合樹脂、ポリエステル樹脂、エチレン／アクリル酸共重合樹脂、エチレン／アクリル酸エチル共重合樹脂等の中から選択される少なくとも１種の樹脂を使用することが好ましく、接着剤層３及び擬似接着層４による好適な情報記録体９及び情報記録領域１０への接着性と、擬似接着層４の安定した再剥離性を得ることができる。
そして、情報記録体９をその情報記録面（情報記録領域１０を有する面）を内側として二つ折りしたその隙間（空間）へ、このような材料構成の擬似接着シートＡ１〜Ａ３を挿入して、その二つ折りの折り目を境界線としたその一方の側に、接着剤層３を介して貼り合わせ、他方の側に擬似接着層４を介して貼り合わせて、一体となった情報記録積層体を、１００度以下の温度で、線圧１ｋｇ／ｃｍの圧力にて加熱、加圧して、ホログラム及び、記録した情報（情報記録領域１０）を内側に秘匿した情報記録積層体Ａ４を作成することができる。（図５参照。）
この加熱及び加圧条件は、使用する情報記録体９の材質や、擬似接着シートＡ１〜Ａ３の各層の材質によって、調節する。
また、ポリプロピレンフィルムを透明基材１に用いた場合には、その上に積層される擬似接着層４はプロピレンとαオレフィンの共重合体と結晶性ポリブテン（ポリブテン−１ホモポリマー）の混合体とする。αオレフィンとしては、エチレン、ブテン、ブタジエン、ペンテンなどが使用でき、これらの２種とプロピレンの３元共重合体も使用できる。特に、エチレン・プロピレン共重合体、エチレン・プロピレン・ブテン共重合体は好ましい。共重合体のうちプロピレンが占める割合は、８０〜９５％が好ましく、９５％以上では、加熱、加圧による熱圧着性が良くない。
【００６０】
共重合体と結晶性ポリブテンの混合割合としては、共重合体が６５〜９５％、ポリブテンが５〜３５％の範囲が好ましい。結晶性ポリブテンが５％を下まわると、感熱圧着させる温度が高くなり、剥離力が強くなりすぎる。また、結晶性ポリブテンが３５％を越えていると、感熱圧着する温度は低くなるが、適度な剥離強度が得られる圧着温度の範囲が狭くなってしまう。また、擬似接着層４については、形成厚さが厚くなると感熱加圧した際、剥離力が強くなるために剥離感が悪くなる。
また、擬似接着層４は、その層の破断点伸度が３５０％以上となるように調整すると、開き適性（開いた際に「ムラ」が発生し難いと言う意味。）や、折り適性等に非常に優れ、好ましい。
さらに、透明基材１と擬似接着層４との界面における１８０度剥離強度（剥離速度５００ｍｍ／分）を、２０〜１５０ｇ／５０ｍｍ、特に、２０〜１００ｇ／５０ｍｍとすることでも、情報記録積層体Ａ４を開く際、透明基材１と擬似接着層４との界面でスムーズに剥離することができ、層内ちぎれを起こさないようにすることができる。（図６参照。）
また、接着剤層３への微粒子無機顔料や有機顔料添加で、その表面に微細な凹凸を形成し、二つ折りした擬似接着シートＡ１〜Ａ３を二つ折りした情報記録体９の中に挟んだ後、熱圧着して情報記録積層体Ａ４を作製する時の、溶融樹脂のはみ出し防止を図り、擬似接着シートＡ１〜Ａ３巻取り時のブロッキングをも防止することができる。
更に、香料、帯電防止剤、レベリング剤、着色剤等を添加することも可能である。
【００６１】
（情報記録体）
情報記録体９としては、各種請求書、支払い通知書、受領書及び満期通知書等、 HYPERLINK "http://ja.wikipedia.org/wiki/eμaセソ" \o "郵便" 郵便や、ダイレクトメールとして、量販店などが大量に顧客に送付している各種の通知や案内状などの書類等、ポスティング等によるビラやチラシ、内国通常郵便物である、第二種郵便物、船便、航空便、エコーはがき、ｅ−センスカード等、「私製葉書」等、選挙郵便、選挙事務所開き案内、投票所入場券等、タウンメール等、年賀はがきや、暑中見舞用郵便はがき等、さらには、各種のおまけ、割引券、サービス券等を、その一部に切り離し可能に設けたもの等、地方自治体の地域限定の行事案内やお知らせや水道局による、断水やにごり水、交通規制のお知らせ等、に用いられる、「はがき」そのもの、もしくは、「はがき」状の「シート」であって、
その基材（基紙）として、印刷用紙や情報用紙等、すなわち、上質紙、中質紙、色上質紙、アート紙、コート紙、マットコート紙、ミラーコート紙、アートポスト、ケント紙、更紙、ノーカーボン紙、模造紙、グラシン紙、再生紙、白板紙、色板紙、加工紙、上級印刷紙、中級印刷紙、下級印刷紙、微塗工紙、軽量コート紙、インクジェット用紙、昇華熱転写用紙等のプリンター用紙、フォーム用紙、ノーカーボン紙、感熱紙、ＯＣＲ用紙、ＯＭＲ用紙、磁気記録紙等（情報用紙）、未晒クラフト紙・半晒クラフト紙、塗工晒クラフト紙、再生可能防湿紙等、他の素材を混ぜ合わせた紙、風合いを出した紙、パール加工紙、ライナー、中芯原紙等、表面に顔料が塗られていないもので、木材原料を化学処理した化学パルプと、木材原料をほぐしただけの機械パルプを混ぜた、非塗工紙、上質紙、中質紙をベースに片面または両面に塗料を塗って、圧力をかけたロールの間を通し光沢を出した、塗工紙等、木材パルプを原料とし、機械により大量生産された洋紙に対して、楮(コウゾ)、三椏(ミツマタ)、雁皮(ガンピ) 、麻、檀（まゆみ）等を原料とした和紙等を用いることができ、さらには、樹脂含浸紙、ユポなどの合成紙、樹脂フィルム等も用いることができる。
【００６２】
樹脂フィルムとしては、ポリエチレン（ＰＥ）、ポリプロピレン（ＰＰ）、延伸ポリプロピレン（ＯＰＰ）、ポリスチレン（ＰＳ）、メタクリル樹脂、アクリル樹脂、ＡＢＳ樹脂（ＡＢＳ）、ポリ塩化ビニル等が用いられるが、これらのものを用いる場合には、その表面の印刷適性等を改善するため、表面改質処理を施したり、適宜な樹脂をコーティングしたものを用い、それら基材の上に、各種印刷方法や、各種プリンター、その他の情報記録方法を用いて、郵送中や、配送中には、第三者に対して秘匿すべき情報を少なくとも記録したもの（情報記録領域１０）を使用できる。
これらの基材は、紙ベースのものとしては、５０ｇ／ｍ2〜３００ｇ／ｍ2のもの、好ましくは、９０ｇ／ｍ2〜１６０ｇ／ｍ2のものを用いる。
また、合成紙や、フィルムベースのものとしては、その厚さとして、５０μｍ〜５００μｍのもの、好適には、６０μｍ〜２００μｍのものを用いる。
この情報記録体９の表面に、グラビア印刷、オフセット印刷、シルクスクリーン印刷等の印刷により、もしくは、インクジェット方式等のプリンター印字により、秘匿情報を含んだ情報記録を行い、情報記録領域１０を形成する。（形成プロセスは、図示せず。）
このような印刷方式や、印字方式を用いて、情報記録体９の外側面に別の情報記録を行えることは当然であるが、上記した熱圧着条件下において劣化、変質しない情報記録とすることは言うまでもない。
【００６３】
（情報記録積層体）
これらの情報記録体９をその情報記録面（情報記録領域１０を有する面）を内側として二つ折りしたその隙間（空間）へ、このような材料構成の擬似接着シートＡ１〜Ａ３を挿入して、その上下から、８０℃〜２００℃の加熱、及び、１００ｇ／ｃｍ〜１０ｋｇ／ｃｍの線圧加圧にて、搬送速度５ｍ／分〜３０ｍ／分の条件にて、加熱、加圧することで、その情報記録積層体を熱圧着して、「二つ折りした情報記録積層体」Ａ４とする。（図５参照。）
もちろん、三つ折り、四つ折り、さらには、それ以上の回数だけ折るものでも使用できる。
郵便にて送付する場合には、情報記録積層体Ａ４を、折り、圧着した後のサイズ、重さ、その他の仕様が、郵便法や、郵便規則に適合するサイズ、重さ等となるように調整する。
メール便によって配送する場合には、そのサイズ、重さ等に制限がないため、任意のサイズ、重さのものを用いることができ、さらには、左右の面積を同一のものとせず、異なる面積とするものや、部分的に貼着するものであっても、好適に用いることができる。
この情報記録積層体Ａ４を、郵便による郵送、もしくは、メール便による配送により宛先人へ届ける。
この情報記録積層体Ａ４を開くと、擬似接着層４と、透明基材１との界面、もしくは、設定により、擬似接着層４同士の密着面（図示せず。）から、剥離が生じ、それをきっかけとして、その面全体をスムースに剥離することができ、開いた面上にある秘匿情報等（情報記録体上の情報記録領域１０内に記録されている。Ａ５参照。）と併せて、ホログラム形成層２のホログラム再生像を視認できるようになる。（図６参照。）
【実施例】
【００６４】
以下、実施例及び比較例により、本発明を更に詳細に説明するが、これに限定されるものではない。なお、溶媒（溶剤や水等。）を除き、各層の各組成物は固形分換算の質量部である。
（実施例１）
透明基材１として、５０μｍ厚さのポリエチレンテレフタレートフィルムを用い、その上に、膜厚２０μｍのフォトポリマー（ホログラム形成層２）が積層され、その上に保護フィルムとして、厚さ２３μｍポリエチレンテレフタレートフイルムが積層されたフォトポリマーフィルム（デュポン社製「ＨＲＦ７０５」。図示せず。）を用い、露光強度２．０ｍＷにて、記録角度を透明基材１に対して、（シート面の垂線方向に対し）３０度とし、５０ｍＪ／ｃｍ2の露光量となるように照射した後、高圧水銀灯を用いて５００ｍＪ／ｃｍ2の紫外線を照射し、更に１２０℃で１２０分間加熱処理し、その後、上記保護フィルムを剥離して、透明基材１と、ホログラム形成層２が積層されているシートを作製した。（図２参照。）
これに用いたホログラムは、クリプトンレーザー（発光波長６４７ｎｍ）を光源とし、２ステップ法を用いて、はがき１面（はがき１枚分の面積という意味。）サイズの「絵画モチーフ」のリップマンホログラムとし、その結像位置を、記録面から２ｍｍの位置として撮影し、現像処理したものを用いた。
このシートのホログラム形成層２の上に、接着剤層３として、ガラス転移温度が５７℃であり、８０℃で情報記録体９と感熱接着させることのできる透明なポリビニルブチラール樹脂と、［透明微粒子Ｐ１］５として、透明樹脂パウダー（メラミン・ホルマリンパウダー）を適宜な溶剤を加えて、デゾルバー分散１０分、及び、直径２ｍｍのスチールビーズを用いたボールミルで６０分間分散したペースト（図示せず。）に、トルエン、イソプロピルアルコール、及び、メチルセルソルブを加えて、下記組成のスクリーン印刷用インキ（接着剤層３用インキ組成物）とした。
【００６５】
この接着剤層３用インキ組成物を、ステンレススクリーン印刷方式にて、乾燥後の厚みが２０μｍとなるように形成し、さらに、このシートの反対面上に、擬似接着層４として、同一組成物（［透明微粒子Ｐ２］６は、［透明微粒子Ｐ１］５と同一となる。）を、ステンレススクリーン印刷方式にて、乾燥後の厚みが、２０μｍとなるように形成し、はがきサイズ１面分の大きさにカットして、実施例１の擬似接着シートＡ１を得た。（図２参照。）
<接着剤層３用インキ組成物>
ポリビニルブチラール樹脂                                            １００部
メラミン・ホルマリンパウダー（０．３μｍ、安達産業社製。）            ２０部
トルエン                                                              １０部
イソプロピルアルコール                                                ２０部  
メチルセルソルブ                                                      １０部
このとき、接着剤層３及び、擬似接着層４の「ヘーズ」は、いずれも１５％であった。
ホログラム形成層２に記録したリップマンホログラムは、接着剤層３及び擬似接着層４に挟まれて、鮮明には観察できず、光学的方法を用いて不正に複製することは（リップマンホログラムの光学的複製方法を意味する。）、到底困難であると思われた。
【００６６】
情報記録体９としては、１５０ｇ／ｍ2のはがき用の用紙（はがきサイズ２面分の大きさ）に、差出人に関する所定デザイン等をオフセット印刷にて印刷したものに、インクジェットプリンターにて、その一方の面に宛先人向けの特典情報等（これが、情報記録体９上の情報記録領域１０となる。）を、そして、他方の面に宛先情報（宛名や住所等。）等、を印字したものを用いた。（図示せず。）
この情報記録体９を、その特典情報等印字面を内側にして二つ折りし、その間に擬似接着シートＡ１を挿入し（特典情報印字面に、擬似接着シートＡ１の接着剤層３面が接するように重ねた。）、表面温度が１１０度の熱ロール間に、１ｋｇ／ｃｍ線圧、１０ｍ／分の速度で通して、情報記録体９の内側の一方（はがきサイズ１面分大きさとなる。）と擬似接着シートＡ１の接着剤層３、及び、情報記録体９の内側の他方（はがきサイズ１面分大きさとなる。）と擬似接着層４を、一時に貼り合わせ、実施例１の情報記録積層体Ａ４を得た。（図５参照。）
この情報記録積層体Ａ４を左右に開いたとき、透明基材１と、擬似接着層４との界面において剥離が起こり、開いた情報記録積層体Ａ４の左側に擬似接着シートＡ１の透明基材１、ホログラム形成層２、及び粘着剤層３が、情報記録領域１０の左側にある特典情報印字部分を覆うように接着しており、その右側には、擬似接着シートＡ１の擬似接着４が、右側の情報記録領域１０を覆うように接着した状態となった。（図６参照。但し、図６は、接着剤層３と擬似接着層４の組成、及び厚さが異なる場合について図示している。本実施例においては、この両層が同一組成、同一厚さとなる。）
【００６７】
このときの、透明基材１と、擬似接着層４との１８０度剥離強度は、４０ｇ／５０ｍｍ（測定速度５００ｍｍ／分。）であった。
また、接着剤層３と、情報記録体９（情報記録領域１０を含む。）との同様の剥離強度は、３００ｇ／５０ｍｍであった。
このように作製したはがきの全重量その他の仕様は、郵便法及び郵便規則の規格内であり「郵便はがき」として使用できることが確認された。
この情報記録積層体Ａ４は、郵送時には剥離等の不具合も生じず、到着した情報記録積層体Ａ４をスムースに開くことができ、「剥離カール」などの不具合も発生せず、開き角度を１８０度として、室内照明光にてホログラム形成層２を観察したところ、その折り目部分もあまり目立つことも無く、左側に赤色の鮮明なホログラム再生像「絵画モチーフ」を視認することができた。
また、情報記録領域１０の記録情報を左右とも同様に視認することができた。
さらに、情報記録領域１０の左側にある特典情報印字部分を覆うようにホログラム再生像が見えるため、第三者がその特典情報が真正なものであると確認できると思われた。
しかも、情報記録積層体Ａ４の宛名記載面の下方に、「このはがきを開くとホログラムを鑑賞できます。」とのメッセージが記載されていたため、このメッセージを見たはがきの受取人（宛先人を意味する。）が、このはがきを開く率（「開き率」）が非常に高くなるものと思われた。
【００６８】
（実施例２）
厚さ１６μｍのポリエチレンテレフタレートフィルムの透明基材１の一方の面に、下記組成の光重合成組成物を乾燥厚さ１０μｍとなるように、グラビアコーティングにて形成して、ホログラム形成層２とし、
<光重合成組成物>
ポリメチルメタクリレート系樹脂（分子量２００，０００）                １０部
７−ジエチルアミノ−４−メチルクマリン（東京化成工業社製）          ０．１部
ジフェニルヨードニウムヘキサフルオロアンチモネート                      １部
1−ヒドロキシ−シクロヘキシル−フェニル−ケトン                     ０．１部
２，２−ビス[４-（アクリロキシジエントキシ）フェニル]プロパン         ２０部
ペンエリスリトールポリグリシジルエーテル                              ２０部
メチルイソブチルケトン                                                ３０部
ｎ−ブタノール                                                        １９部
アルゴンレーザーにより、波長４８８ｎｍ、露光強度１．８０ｍｗにて、１０ｍＪ／ｃｍ2 の露光量となるように照射して、リップマンホログラムを形成し、高圧水銀灯を用いて１００ｍＪ／ｃｍ2の紫外線を照射したこと以外は、実施例１と同様にして、反射型の体積ホログラムを有するホログラム形成層２を形成した。この体積ホログラムの波長４８８ｎｍ（再生波長となる。）における回折効率は、５０％であった。
【００６９】
このホログラム形成層２の上に、下記組成の接着剤組成物（［透明微粒子Ｐ１］５として、酸化ジルコニウム超微粒子パウダーを使用。）を乾燥厚さ２０μｍとなるように、カーテンコート方式にて形成して、接着剤層３とした。
＜接着剤層３用組成物＞
酢酸ビニル−アクリル共重合体                                        ４０部
イソホロン・ジイソシアネート                                      ０．１部    
酸化ジルコニウム（０．８μｍ、不定形、シーアイ化成製）              １０部
界面活性剤                                                        ０．１部
イソプロピルアルコール                                              ３０部
酢酸エチル                                                          ２０部
さらに、透明基材１の他方の面に、ビカット軟化温度が５５℃で、１００℃以下の温度では溶融はみ出しを起こすことのないアイオノマー樹脂（［透明微粒子Ｐ２］６として、酸化アルミニウム超微粒子パウダーを使用。）からなる熱可塑性樹脂層を１５μｍの厚さとなるように形成して、実施例２の擬似接着シートＡ１を得た。（図２参照。）
＜擬似接着層４用組成物＞
アイオノマー樹脂                                                    ３０部
酸化アルミニウム（３１ｎｍ、シーアイ化成製）                        １０部
界面活性剤                                                        ０．１部
イソプロピルアルコール                                              ４０部
酢酸エチル                                                          ２０部
このとき、接着剤層３及び擬似接着層４の「ヘーズ」は、それぞれ１８％及び１５％であった。
ホログラム形成層２に記録したリップマンホログラムは、接着剤層３及び擬似接着層４に挟まれて、鮮明には観察できず、光学的方法を用いて不正に複製することは到底困難であると思われた。
【００７０】
情報記録体９としては、実施例１と同様のものを使用し、この情報記録体９の特典情報等印字面を内側にして二つ折りし、その間に擬似接着シートＡ１を挿入し（特典情報が印字されている面に、擬似接着シートＡ１の接着剤層３面が接するように重ねた。）、表面温度が１００度の熱ロール間に、３００ｇ／ｃｍ線圧、１０ｍ／分の速度で通して、情報記録体９内側の一方（はがきサイズ１面分の大きさとなる。）と擬似接着シートＡ１の接着剤層３、及び、情報記録体９内側の他方（はがきサイズ１面分の大きさとなる。）と擬似接着層４を、一時に貼り合わせ、実施例２の情報記録積層体Ａ４を得た。（図５参照。）
この情報記録積層体Ａ４を左右に開いたとき、透明基材１の表面が鏡面（擬似接着層４の樹脂残渣が全くなくクリアな面という意味。）となって、ホログラム再生像が非常に鮮明に観察でき、且つ、このときの、透明基材１と、この擬似接着層４との１８０度剥離強度は、５０ｇ／５０ｍｍ（測定速度５００ｍｍ／分。）であった。（図６参照。）
また、接着剤層３と、情報記録体９との剥離強度は、９００ｇ／５０ｍｍであった。
このように作製したはがきの全重量その他の仕様は、郵便法及び郵便規則の規格内であり「郵便はがき」として使用できることが確認された。
この情報記録積層体Ａ４は、郵送時には剥離等の不具合も生じず、到着した情報記録積層体Ａ４をスムースに開くことができ、「剥離カール」などの不具合も発生せず、開き角度を１８０度として、室内照明光にてホログラム形成層２を観察したところ、その折り目部分はさらに目立つこと無く、片面に青色の非常に鮮明なホログラム再生像「絵画モチーフ」を視認することができた。
また、情報記録領域１０の記録情報を左右とも同様に視認することができた。
さらに、情報記録領域１０の左側にある特典情報印字部分を覆うようにホログラム再生像が見えるため、第三者がその特典情報が真正なものであると確認できると思われた。
しかも、情報記録積層体Ａ４の宛名記載面の下方に、「このはがきを開くとホログラムを鑑賞できます。」とのメッセージが記載していたため、このメッセージを見たはがきの受取人（宛先人を意味する。）が、このはがきを開く率（「開き率」）が非常に高くなると思われた。
【００７１】
（実施例３）
厚さ１２μｍのポリエチレンテレフタレートフィルムの透明基材１の一方の面に、下記組成の透明樹脂組成物を乾燥厚さ３μｍとなるように、グラビアコーティングにて形成し、レリーフホログラム形成用の層（この層がレリーフホログラム７となる。）を形成した。
<透明樹脂層用組成物>
ポリブチルアクリレート（ｎ＝１．４４）                          ２０部
トルエン                                                        ４０部
メチルエチルケトン                                              ２０部
酢酸エチル                                                      ２０部
次に、レーザ光学系を用いてフォトレジスト上に撮影した、はがき１面（はがき１枚分の面積という意味。）サイズの「絵画モチーフ」のホログラムを現像処理して、レリーフホログラム（ホログラムレリーフの凹凸：最大０．３μｍ。）とし、このホログラムレリーフを型取って、Ｎｉ原版を用意し、上記した層の表面に、そのＮｉ原版のホログラムレリーフ面を合わせて、回転式レリーフホログラム形成装置（原版シリンダー径１．０ｍ・原版面温度１００℃、加圧シリンダー径０．３ｍ水冷式、圧力２トン／ｍ、複製速度１０ｍ／分）にて、透明基材１上の層を、レリーフホログラム７とした。（図３参照）
【００７２】
このレリーフホログラム７のホログラムレリーフ面上に、下記組成の接着剤層３用組成物を、乾燥厚さ１５μｍとなるように、グラビアコーティングにて形成し、接着剤層３とし、このときの接着剤層３の「ヘーズ」が２０％であったこと以外は、実施例２と同様にして、実施例３の擬似接着シートＡ２を得た。（図３参照。）
＜接着剤層３用組成物＞
ポリ塩化ビニル・酢酸ビニル（ｎ＝１．５４）                        ３０部
イソホロン・ジイソシアネート                                      ０．１部    
シリコーン樹脂ファインパウダー（［透明微粒子Ｐ１］５）
（０．８μｍ、安達産業製、ｎ＝１．４３）                              ６部
トルエン                                                            ２４部
酢酸エチル                                                          ４０部
情報記録体９としては、実施例２と同様のものを使用し、実施例２と同様にして、実施例３の情報記録積層体Ａ４を得た。（図５参照。）
この情報記録積層体Ａ４を実施例２と同様に評価したところ、擬似接着シートＡ２と、情報記録体９との剥離強度が、１．５ｋｇ／５０ｍｍであったこと以外は、実施例２と同様の良好な結果を得た。
【００７３】
（実施例４）
実施例３において、レリーフホログラム７のホログラムレリーフ上に、透明反射性薄膜層８として、ＴｉＯ2薄膜を、電子線加熱真空蒸着方法を用いて、１００ｎｍ厚さで形成し、その上に接着剤層３を設けたこと以外は、実施例３と同様にして、実施例４の擬似接着シートＡ３（図４参照。）、及び、実施例４の情報記録積層体Ａ４を得た。（図５参照。）
この擬似接着積層体Ａ４を実施例３と同様に評価したところ、情報記録積層体Ａ４を開いたときにホログラム再生像がさらに鮮明に視認できたこと（図６参照。）、以外は、実施例３と同様の良好な結果を得た。
【００７４】
（比較例）
（比較例１）
ホログラム形成層２を形成しなかったこと以外は、実施例１と同様にし、比較例１の擬似接着シート及び、情報記録積層体を得た。
この情報記録積層体を実施例１と同様に評価したところ、なんら特徴がなく、受け取り人の注意も惹かず、開き率の向上は見込めないものと思われた。
[回折効率測定方法]
：光源：半導体レーザー：キコー技研 ＭＬＸ標準コリメートレーザー
：電圧ＤＣ４．８〜６．５Ｖ・平行光時ビーム径拡大６ｍｍ
：効率：反射回折光強度／入射光強度＊１００（％）
【符号の説明】
【００７５】
Ａ１  擬似接着シート（ホログラム形成層に体積ホログラムを用いている。）
Ａ２  擬似接着シート（ホログラム形成層にレリーフホログラムを用いている。）
Ａ３  擬似接着シート（ホログラム形成層に、レリーフホログラム及び、そのホログラ          ムレリーフに追従するように透明反射性薄膜層を設けた２層構成のものを用いて          いる。）
Ａ４  情報記録積層体｛擬似接着シートＡ１を挟み込むように情報記録体９を折り曲げ          、情報記録体９上の情報記録領域１０に、一方（折り曲げた時の折り目を境界線          として、情報記録領域１０を二つに分けた時のその一方の領域。）では擬似接着          シートＡ１の擬似接着層４が接着し、他方（同様にしたときの、他方の領域。）          では、擬似接着シートＡ１の接着剤層３が接着している状態。擬似接着シートＡ          １を挟み込むように情報記録体９を折り曲げた後、熱圧着して一体化し、情報記          録積層体としたもの。｝
Ａ５  情報記録積層体Ａ４を開いた後の情報記録積層体（擬似接着シートＡ１の擬似接          着層４と、透明基材１との界面で剥離している。）
１    透明基材
２    ホログラム形成層
３    接着剤層
４    擬似接着層
５    透明微粒子Ｐ１（接着剤層内）
６    透明微粒子Ｐ２（擬似接着層内）
７    レリーフホログラム
８    透明反射性薄膜層
９    情報記録体
１０  情報記録体上の情報記録領域
【図１】
2012203159.tif 000003
【図２】
2012203159.tif 000004
【図３】
2012203159.tif 000005
【図４】
2012203159.tif 000006
【図５】
2012203159.tif 000007
【図６】
2012203159.tif 000008